(57)【要約】【課題】高周波の二方向性電気エネルギーの電源へ適用する、小型化、軽量化、コスト削減が可能な、ＬＥＤ二方向性駆動回路を提供する。【解決手段】キャパシティブ・誘導性・抵抗性インピーダンスコンポネントによって第一インピーダンスＺ１０１及び第二インピーダンスＺ１０２をそれぞれ構成する。第一インピーダンスＺ１０１及び第二インピーダンスＺ１０２を互いに直列接続したその両端に交流電気エネルギーが入力され、電気エネルギーの入力によって、第一インピーダンスＺ１０１及び第二インピーダンスＺ１０２による分圧を形成し、かつ第一発光ダイオードＬＥＤ１０１と第二発光ダイオードＬＥＤ１０２とを逆極性に並列接続することによって二方向性導電発光ダイオードセットＬ１００を構成して第二インピーダンスＺ１０２の両端に並列接続し、第二インピーダンスＺ１０２の両端にある分圧によって駆動かつ発光する。 【選択図】図２
2009170919.tif 000002
【特許請求の範囲】
【請求項１】
第一インピーダンスと、第二インピーダンスと、二方向性導電発光ダイオードセットとを備え、
キャパシティブ、誘導性、抵抗性インピーダンスコンポネントによって、少なくとも一個の前記第一インピーダンスを構成し、
キャパシティブ・誘導性・抵抗性インピーダンスコンポネントによって、少なくとも一個の前記第二インピーダンスを構成し、
少なくとも一個の第一発光ダイオードと少なくとも一個の第二発光ダイオードとを逆極性に並列接続することによって、少なくとも一個の前記二方向性導電発光ダイオードセットを構成し、少なくとも一個の前記第二インピーダンスの両端に並列接続し、
少なくとも一個の前記第一インピーダンスと少なくとも一個の前記第二インピーダンスを互いに直列接続したその両端に、（１）固定或いは可変電圧及び固定或いは可変周波数の交流電気エネルギーを入力し、或いは、（２）直流電源から変換される固定或いは可変電圧及び固定或いは可変周波数或いは周期の二方向性正弦波電圧、二方向性方波電圧、或いは二方向性脈動波形の電圧の交流電気エネルギーを入力し、或いは、（３）交流電気エネルギーを整流した直流電気エネルギーを再変換した固定或いは可変電圧及び固定或いは可変周波数或いは周期の二方向性正弦波電圧、二方向性方波電圧、或いは二方向性脈動波形の電圧の交流電気エネルギーを入力し、
前記電気エネルギーが直列接続する第一インピーダンスコンポネント及び第二インピーダンスコンポネントに形成する電気エネルギーの分圧を通して、分圧の電気エネルギーによって、少なくとも一個の前記二方向性導電発光ダイオードセットを駆動し、或いは少なくとも二個の前記第一インピーダンス及び前記第二インピーダンスの両端にそれぞれ並列接続する前記二方向性導電発光ダイオードセットを駆動して構成し、
前記第一インピーダンス（Ｚ１０１）は、（１）キャパシティブインピーダンスコンポネント、誘導性インピーダンスコンポネントまたは抵抗性インピーダンスコンポネントの中の一種或いは一種以上及び一個或いは一個以上によって構成され、或いは二種或いは二種以上のインピーダンスコンポネントによって構成され、かつ各種インピーダンスコンポネントを別々に一個或いは一個以上の直列・並列・直並列接続することによって構成し、
或いは、（２）前記第一インピーダンス（Ｚ１０１）は、少なくとも一個のキャパシティブインピーダンスコンポネントと少なくとも一個の誘導性インピーダンスコンポネントとを互いに直列接続することによって構成し、かつ電源からの二方向性電気エネルギー、例えば交流電気エネルギーの周波数、或いは直流電気エネルギーによって変換される固定或いは可変電圧及び固定或いは可変交換極性周期の電気エネルギーの交換極性周期と同じで、かつ直列共振状態を形成し、
或いは、前記第一インピーダンス（Ｚ１０１）は、（３）少なくとも一個のキャパシティブ及び少なくとも一個の誘導性インピーダンスコンポネントを互いに並列接続し、かつ電源からの二方向性電気エネルギー、例えば交流電気エネルギーの周波数、或いは直流電気エネルギーによって変換される固定或いは可変電圧及び固定或いは可変交換極性周期の電気エネルギーの交換極性周期と同じで、かつ並列共振インピーダンス状態を形成し、
前記第二インピーダンス（Ｚ１０２）は、（１）キャパシティブ・誘導性・抵抗性インピーダンスコンポネントの中の一種或いは一種以上及び一個或いは一個以上によって構成され、或いは二種或いは二種以上のインピーダンスコンポネントによって構成され、かつ各種インピーダンスコンポネントを別々に一個或いは一個以上の直列、並列または直並列接続することによって構成し、
或いは、前記第二インピーダンス（Ｚ１０２）は、（２）少なくとも一個のキャパシティブインピーダンスコンポネントと少なくとも一個の誘導性インピーダンスコンポネントとを互いに直列接続することによって構成し、かつ電源からの二方向性電気エネルギー、例えば交流電気エネルギーの周波数、或いは直流電気エネルギーによって変換される固定或いは可変電圧及び固定或いは可変交換極性周期の電気エネルギーの交換極性周期と同じで、かつ直列共振状態を形成し、
或いは、前記第二インピーダンス（Ｚ１０２）は、（３）少なくとも一個のキャパシティブ及び少なくとも一個の誘導性インピーダンスコンポネントを互いに並列接続し、かつ電源からの二方向性電気エネルギー、例えば交流電気エネルギーの周波数、或いは直流電気エネルギーによって変換される固定或いは可変電圧及び固定或いは可変交換極性周期の電気エネルギーの交換極性周期と同じで、かつ並列共振インピーダンス状態を形成し、
少なくとも一個の前記第一インピーダンス（Ｚ１０１）と少なくとも一個の前記第二インピーダンス（Ｚ１０２）とを互いに直列接続し、前記第一インピーダンス（Ｚ１０１）と前記第二インピーダンス（Ｚ１０２）とを互いに直列接続してからの両端は、（１）固定或いは可変電圧及び固定或いは可変周波数の交流電気エネルギーを入力し、或いは、（２）直流電源から変換される固定或いは可変電圧及び固定或いは可変周波数或いは周期の二方向性正弦波電圧、二方向性方波電圧、或いは二方向性脈動波形の電圧の交流電気エネルギーを入力し、或いは、（３）交流電気エネルギーを整流した直流電気エネルギーを再変換した固定或いは可変電圧及び固定或いは可変周波数或いは周期の二方向性正弦波電圧、二方向性方波電圧、或いは二方向性脈動波形の電圧の交流電気エネルギーを入力し、
前記二方向性導電発光ダイオードセット（Ｌ１００）は、少なくとも一個の前記第一発光ダイオード（ＬＥＤ１０１）と少なくとも一個の前記第二発光ダイオード（ＬＥＤ１０２）とが逆極性に並列接続することによって構成され、前記第一発光ダイオード（ＬＥＤ１０１）と前記第二発光ダイオード（ＬＥＤ１０２）との数量は同じ或いは異なることが可能で、前記第一発光ダイオード（ＬＥＤ１０１）と前記第二発光ダイオード（ＬＥＤ１０２）とは、一個の個別発光ダイオードの順発光電流極性によって構成され、或いは二個或いは二個以上の発光ダイオードの順発光電流極性が直列或いは並列接続して構成し、或いは三個或いは三個以上の発光ダイオード順発光電流極性を直列接続、並列接続または直並列接続によって構成し、
前記二方向性導電発光ダイオードセット（Ｌ１００）は、必要に応じて一セット或いは一セット以上を選択設置することによって、前記第一インピーダンス（Ｚ１０１）或いは前記第二インピーダンス（Ｚ１０２）の二者或いはその中の一つの両端に並列接続し、入力する電気エネルギーが前記第一インピーダンス（Ｚ１０１）の両端及び前記第二インピーダンス（Ｚ１０２）の両端に形成する電気エネルギー分圧を通して、第一インピーダンス（Ｚ１０１）或いは前記第二インピーダンス（Ｚ１０２）の両端に並列接続する二方向性導電発光ダイオードセット（Ｌ１００）を駆動して発光し、
ＬＥＤ二方向性駆動回路（Ｕ１００）の中にある前記第一インピーダンス（Ｚ１０１）、前記第二インピーダンス（Ｚ１０２）及び前記二方向性導電発光ダイオードセット（Ｌ１００）は、必要に応じて別々に一個或いは一個以上の選択が可能であり、
前記第一インピーダンス（Ｚ１０１）、前記第二インピーダンス（Ｚ１０１）、前記二方向性導電発光ダイオードセット（Ｌ１００）、前記第一発光ダイオード（ＬＥＤ１０１）、前記第二発光ダイオード（ＬＥＤ１０２）及び上記の各項のオプション補助性回路コンポネントは、必要に応じて設置するかしないかの選択が可能であり、設置数量は一個によって構成されてもよく、一個以上を選択する場合、応用時の回路機能の必要に応じて、相対極性関係を選定し、直列、並列、直並列に接続し、
前記電気エネルギーが直列接続する前記第一インピーダンスコンポネント及び前記第二インピーダンスコンポネントに形成する電気エネルギーの分圧を通して、分圧の電気エネルギーによって、少なくとも一個の前記二方向性導電発光ダイオードセットを駆動し、或いは少なくとも二個の前記第一インピーダンス及び前記第二インピーダンスの両端にそれぞれ並列接続する二方向性導電発光ダイオードセットを駆動し構成することを特徴とするＬＥＤ二方向性駆動回路。
【請求項２】
前記第一インピーダンス（Ｚ１０１）は、少なくとも一個のキャパシティブインピーダンスによって構成され、特に第一コンデンサ（Ｃ１００）によって構成され、前記第一インピーダンスの数量は一個或いは一個以上であり、
前記第二インピーダンス（Ｚ１０２）は、少なくとも一個のキャパシティブインピーダンスによって構成され、特に第二コンデンサ（Ｃ１０２）によって構成され、前記第二インピーダンスの数量は一個或いは一個以上であり、
少なくとも一個の前記第一インピーダンス（Ｚ１０１）と少なくとも一個の前記第二インピーダンス（Ｚ１０２）とを直列接続し、二者を直列接続したその両端は、（１）固定或いは可変電圧及び固定或いは可変周波数の交流電気エネルギーを入力し、或いは、（２）直流電源から変換される固定或いは可変電圧及び固定或いは可変周波数或いは周期の二方向性正弦波電圧、二方向性方波電圧、或いは二方向性脈動波形の電圧の交流電気エネルギーを入力し、或いは、（３）交流電気エネルギーを整流した直流電気エネルギーを再変換した固定或いは可変電圧及び固定或いは可変周波数或いは周期の二方向性正弦波電圧、二方向性方波電圧、或いは二方向性脈動波形の電圧の交流電気エネルギーを入力し、
前記電気エネルギーは直列接続する第一インピーダンスコンポネント及び第二インピーダンスコンポネントで電気エネルギーの分圧に形成され、この分圧の電気エネルギーによって、少なくとも一個の二方向性導電発光ダイオードセットＬ１００を駆動し、
前記二方向性導電発光ダイオードセット（Ｌ１００）は、少なくとも一個の前記第一発光ダイオード（ＬＥＤ１０１）と少なくとも一個の前記第二発光ダイオード（ＬＥＤ１０２と）が逆極性に並列接続することによって構成され、前記第一発光ダイオード（ＬＥＤ１０１）と前記第二発光ダイオード（ＬＥＤ１０２）との数量は同じ或いは異なることが可能で、前記第一発光ダイオード（ＬＥＤ１０１）と前記第二発光ダイオード（ＬＥＤ１０２）とは、一個の個別発光ダイオードの順発光電流極性によって構成され、或いは二個或いは二個以上の発光ダイオードの順発光電流極性が直列或いは並列接続して構成され、或いは三個或いは三個以上の発光ダイオード順発光電流極性を直列接続、並列接続または直並列接続によって構成され、
前記二方向性導電発光ダイオードセット（Ｌ１００）は必要に応じて、一セット或いは一セット以上を選択設置することによって、前記第一インピーダンス（Ｚ１０１）或いは前記第二インピーダンス（Ｚ１０２）の二者或いはその中の一つの両端に並列接続し、入力する電気エネルギーが前記第一インピーダンス（Ｚ１０１）の両端及び前記第二インピーダンス（Ｚ１０２）の両端に形成する電気エネルギー分圧を通して、前記第一インピーダンス（Ｚ１０１）或いは前記第二インピーダンス（Ｚ１０２）の両端に並列接続する二方向性導電発光ダイオードセット（Ｌ１００）を駆動して発光し、
或いは、少なくとも一セットの前記二方向性導電発光ダイオードセット（Ｌ１００）と少なくとも一個の前記第二インピーダンス（Ｚ１０２）の両端を並列接続し、即ち前記第二インピーダンス（Ｚ１０２）を構成する前記第二コンデンサ（Ｃ１０２）の両端に並列接続し、前記第二コンデンサ（Ｃ１０２）の両端にある分電圧の電気エネルギーによって駆動され、また前記第一インピーダンス（Ｚ１０１）のインピーダンスを通して、電流を制限し、前記第一コンデンサ（Ｃ１００）を選用するとき、例えば双極性コンデンサを前記第一インピーダンスコンポネントにするとき、キャパシティブインピーダンスによって、出力電流を制限し、
前記第一インピーダンス（Ｚ１０１）、前記第二インピーダンス（Ｚ１０２）、及び前記二方向性導電発光ダイオードセット（Ｌ１００）を上述線路構造に従って接続することによって、前記ＬＥＤ二方向性駆動回路（Ｕ１００）を構成することを特徴とする請求項１に記載のＬＥＤ二方向性駆動回路。
【請求項３】
前記二方向性導電発光ダイオードセット（Ｌ１００）を通して、前記第二インピーダンス（Ｚ１０２）と並列接続し、電流分流効果を形成することによって、電源電圧が変動するとき、前記二方向性導電発光ダイオードセット（Ｌ１００）の両端に相対する電源の電圧変動率を減少させることが可能であることを特徴とする請求項１に記載のＬＥＤ二方向性駆動回路。
【請求項４】
前記第一発光ダイオード（ＬＥＤ１０１）或いは前記第二発光ダイオード（ＬＥＤ１０２）の中の一つが、第一ダイオード（ＣＲ１００）によって取り替えられ、また第一ダイオード（ＣＲ１００）の電流の流れ方向は、並列接続と保留される前記第一発光ダイオード（ＬＥＤ１０１）或いは前記第二発光ダイオード（ＬＥＤ１０２）の作動電流の流れ方向とは、逆極性に並列接続することが可能であることを特徴とする請求項１に記載のＬＥＤ二方向性駆動回路。
【請求項５】
前記二方向性導電発光ダイオードセット（Ｌ１００）を構成する前記第一発光ダイオード（ＬＥＤ１０１）及び前記第二発光ダイオード（ＬＥＤ１０２）の中に、同時に第一限流抵抗（Ｒ１０３）及び第二限流抵抗（Ｒ１０４）を設置する場合、限流機能を得るために、第三限流抵抗（Ｒ１００）を直接前記二方向性導電発光ダイオードセット（Ｌ１００）と直列接続することによって取り替え、或いは同時に設置することが可能であり、前記第三限流抵抗（Ｒ１００）は誘導性インピーダンスコンポネント（Ｉ１００）によって取り替えることが可能であり、上記回路構造及び補助回路コンポネントの選択に従って、前記ＬＥＤ二方向性駆動回路（Ｕ１００）を構成することを特徴とする請求項１に記載のＬＥＤ二方向性駆動回路。
【請求項６】
更に前記二方向性導電発光ダイオードセット（Ｌ１００）を構成する前記第一発光ダイオード（ＬＥＤ１０１）及び前記第二発光ダイオード（ＬＥＤ１０２）の両端に別々にツェナーダイオードを並列接続し、或いはツェナーダイオードをまず少なくとも一個のダイオードと直列に接続し、ツェナー電圧効果を生じさせてから、別々に前記第一発光ダイオード（ＬＥＤ１０１）或いは前記第二発光ダイオード（ＬＥＤ１０２）の両端に並列接続し、
前記二方向性導電発光ダイオードセット（Ｌ１００）を構成する前記第一発光ダイオード（ＬＥＤ１０１）の両端を第一ツェナーダイオード（ＺＤ１０１）と並列接続し、その極性関係は前記第一ツェナーダイオード（ＺＤ１０１）のツェナー電圧によって、前記第一発光ダイオード（ＬＥＤ１０１）の両端の作動電圧を制限し、
前記ツェナーダイオード（ＺＤ１０１）は、必要に応じて第二ダイオード（ＣＲ２０１）を選択設置し、前記第一ツェナーダイオード（ＺＤ１０１）との直列接続が可能であり、
前記二方向性導電発光ダイオードセット（Ｌ１００）に前記第二発光ダイオード（ＬＥＤ１０２）を選択使用するとき、必要に応じて前記第二発光ダイオード（ＬＥＤ１０２）の両端を選択し、第二ツェナーダイオード（ＺＤ１０２）と並列に接続することが可能で、その極性関係は前記第二ツェナーダイオード（ＺＤ１０２）のツェナー電圧によって、前記第二発光ダイオード（ＬＥＤ１０２）の両端の作動電圧を制限し、
前記第二ツェナーダイオード（ＺＤ１０２）は、必要に応じて第三ダイオード（ＣＲ２０２）を選択設置し、前記第二ツェナーダイオード（ＺＤ１０２）と直列に接続することが可能であることを特徴とする請求項１に記載のＬＥＤ二方向性駆動回路。
【請求項７】
（１）前記二方向性導電発光ダイオードセット（Ｌ１００）を構成する前記第一発光ダイオード（ＬＥＤ１０１）の両端に、第一ツェナーダイオード（ＺＤ１０１）を並列接続すると同時に、前記第二発光ダイオード（ＬＥＤ１０２）の両端に、第二ツェナーダイオード（ＺＤ１０２）を並列接続し、
或いは、（２）二個の前記第一ツェナーダイオード（ＺＤ１０１）及び前記第二ツェナーダイオード（ＺＤ１０２）を逆方向に直列接続してから、更に前記二方向性導電発光ダイオードセット（Ｌ１００）の両端に並列接続し、
或いは、（３）二方向性ツェナー効果を持つダイオードと並列接続する前記二方向性導電発光ダイオードセット（Ｌ１００）の回路に取り替え、
前記第一発光ダイオード（ＬＥＤ１０１）及び前記第二発光ダイオード（ＬＥＤ１０２）の端電圧過高を防ぐことが可能であることを特徴とする請求項１に記載のＬＥＤ二方向性駆動回路。
【請求項８】
前記第一発光ダイオード（ＬＥＤ１０１）に第一充放電可能装置（ＥＳＤ１０１）を設置し、或いは前記第二発光ダイオード（ＬＥＤ１０２）に第二充放電可能装置（ＥＳＤ１０２）を設置することが可能であり、
前記第一充放電可能装置（ＥＳＤ１０１）及び前記第二充放電可能装置（ＥＳＤ１０２）は、アットランダムに充電或いは電気エネルギーを放出する特性があって、前記第一発光ダイオード（ＬＥＤ１０１）或いは前記第二発光ダイオード（ＬＥＤ１０２）の発光安定性を安定させ、また発光照度の脈動を下げることが可能であり、
前記第一充放電可能装置（ＥＳＤ１０１）と前記第二充放電可能装置（ＥＳＤ１０１）（ＥＳＤ１０２）とは、各種のよく使われる充放電可能な電池、超コンデンサまたはコンデンサによって構成されることを特徴とする請求項１に記載のＬＥＤ二方向性駆動回路。
【請求項９】
前記ＬＥＤ二方向性駆動回路（Ｕ１００）は、第一限流抵抗（Ｒ１０３）を前記第一発光ダイオード（ＬＥＤ１０１）と直列接続した後の両端に、第一充放電可能装置（ＥＳＤ１０１）を並列に接続することが可能であり、
或いは更に第二限流抵抗（Ｒ１０４）を前記第二発光ダイオード（ＬＥＤ１０２）と直列に接続したその両端に、第二充放電可能装置（ＥＳＤ１０２）を並列に接続ることが可能であり、
前記第一発光ダイオード（ＬＥＤ１０１）と前記第一限流抵抗（Ｒ１０３）を直列に接続したその両端に、或いは直接前記第一発光ダイオード（ＬＥＤ１０１）の両端に、極性に従って前記第一充放電可能装置（ＥＳＤ１０１）を並列接続し、前記第一充放電可能装置（ＥＳＤ１０１）は、アットランダムに充電或いは電気エネルギーを放出する特性があって、第一発光ダイオード（ＬＥＤ１０１）の発光作動を安定させ、かつ発光照度の脈動を下げることが可能であり、
前記第二発光ダイオード（ＬＥＤ１０２）を選択したとき、前記第二発光ダイオード（ＬＥＤ１０２）を前記第二限流抵抗（Ｒ１０４）と直列に接続したその両端に、極性に従って前記第二充放電可能装置（ＥＳＤ１０２）を並列接続し、前記第二充放電可能装置（ＥＳＤ１０２）は、アットランダムに充電或いは電気エネルギーを放出する特性があって、前記第二発光ダイオード（ＬＥＤ１０２）の発光作動を安定させ、かつ発光照度の脈動を下げることが可能であり、
前記第一充放電可能装置（ＥＳＤ１０１）及び第二充放電可能装置（ＥＳＤ１０２）は、各種のよく使われる充放電可能な電池、超コンデンサまたはコンデンサによって構成されることを特徴とする請求項１に記載のＬＥＤ二方向性駆動回路。
【請求項１０】
前記ＬＥＤ二方向性駆動回路（Ｕ１００）に前記第一発光ダイオード（ＬＥＤ１０１）を選択使用し、逆方向性並列ダイオード（ＣＲ１００）の主な回路構造は前記第一発光ダイオード（ＬＥＤ１０１）と第一限流抵抗（Ｒ１０３）を直列接続したその両端に、極性に従って第一充放電装置（ＥＳＤ１０１）を並列接続し、前記第一充放電装置（ＥＳＤ１０１）はアットランダムに充電或いは電気エネルギーを放出する特性があって、前記第一発光ダイオード（ＬＥＤ１０１）の発光作動を安定させ、かつ発光照度の脈動を下げ、
前記第一充放電可能装置（ＥＳＤ１０１）及び第二充放電可能装置（ＥＳＤ１０２）は、各種のよく使われる充放電可能な電池、超コンデンサまたはコンデンサによって構成されることを特徴とする請求項１に記載のＬＥＤ二方向性駆動回路。
【請求項１１】
前記ＬＥＤ二方向性駆動回路（Ｕ１００）で第三限流抵抗（Ｒ１００）を選択し、第一限流抵抗（Ｒ１０３）及び第二限流抵抗（Ｒ１０４）を取り替えることによって、前記二方向性導電発光ダイオードセット（Ｌ１００）の共用限流抵抗とするとき、或いは前記第一限流抵抗（Ｒ１０３）、前記第二限流抵抗（Ｒ１０４）及び前記第三限流抵抗（Ｒ１００）を設置しないとき、
第一充放電可能装置（ＥＳＤ１０１）を直接同極性の前記第一発光ダイオード（ＬＥＤ１０１）の両端に並列接続し、第二充放電可能装置（ＥＳＤ１０２）を同極性前記第二発光ダイオード（ＬＥＤ１０２）の両端に並列接続し、前記第一充放電可能装置（ＥＳＤ１０１）及び前記第二充放電可能装置（ＥＳＤ１０２）は、アットランダムに充電或いは電気エネルギーを放出する特性があり、
前記第一充放電可能装置（ＥＳＤ１０１）及び前記第二充放電可能装置（ＥＳＤ１０２）は、各種のよく使われる充放電可能な電池、超コンデンサまたはコンデンサによって構成されることを特徴とする請求項１に記載のＬＥＤ二方向性駆動回路。
【請求項１２】
前記ＬＥＤ二方向性駆動回路（Ｕ１００）の前記二方向性導電発光ダイオードセット（Ｌ１００）の両端に、第一充放電可能装置（ＥＳＤ１０１）或いは第二充放電可能装置（ＥＳＤ１０２）を加設し、アットランダムに充電或いは電気エネルギーを放出することによって、前記二方向性導電発光ダイオード（Ｌ１００）の中の前記第一発光ダイオード（ＬＥＤ１０１）と前記第二発光ダイオード（ＬＥＤ１０２）との発光安定度を安定させる以外に、断電時、充放電可能装置より貯蔵した電気エネルギーを出力することより、前記第一発光ダイオード（ＬＥＤ１０１）或いは前記第二発光ダイオード（ＬＥＤ１０２）の少なくとも一つを駆動し、持続発光させ、
使用する前記第一充放電可能装置（ＥＳＤ１０１）或いは前記第二充放電可能装置（ＥＳＤ１０２）が単極性の場合は、前記第一発光ダイオード（ＬＥＤ１０１）と単極性の前記第一充放電可能装置（ＥＳＤ１０１）を並列に接続してから、逆方向電圧による単極性充放電可能装置への破損を防ぐために、順極性に直列接続する第四ダイオード（ＣＲ１０１）をオプションとすることが可能であり、前記第二発光ダイオード（ＬＥＤ１０２）と単極性の前記第二充放電可能装置（ＥＳＤ１０２）を並列に接続してから、逆方向電圧によって単極性充放電可能装置への破損を防ぐために、必要に応じて順極性に直列接続する第五ダイオード（ＣＲ１０２）を選択設置することが可能であり、
前記第一充放電可能装置（ＥＳＤ１０１）及び前記第二充放電可能装置（ＥＳＤ１０２）は、各種のよく使われる充放電可能な電池、超コンデンサまたはコンデンサによって構成されることを特徴とする請求項１に記載のＬＥＤ二方向性駆動回路。
【請求項１３】
少なくとも一個の前記第一発光ダイオード（ＬＥＤ１０１）と第四ダイオード（ＣＲ１０１）とを逆極性に並列接続し、かつ少なくとも一個の前記第二発光ダイオード（ＬＥＤ１０２）と第五ダイオード（ＣＲ１０２）とを逆極性に並列接続してから、二者を逆方向性に直列接続することによって前記二方向性導電発光ダイオードセットを構成することを特徴とする請求項１に記載のＬＥＤ二方向性駆動回路。
【請求項１４】
前記ＬＥＤ二方向性駆動回路（Ｕ１００）において、
一セットの前記二方向性導電発光ダイオードセット（Ｌ１００）、或いは一セット以上の直列、並列または直並列接続された前記二方向性導電発光ダイオードセット（Ｌ１００）を選択設置し、もし一セット或いは一セット以上を選択設置するとき、共同して共用する第二インピーダンス（Ｚ１０２）の分圧電気エネルギーによって駆動され、或いは直列または並列接続する多セットの前記第二インピーダンス（Ｚ１０２）のそれぞれに対応する分圧電気エネルギーによって、個別に二方向性導電発光ダイオードセット（Ｌ１００）を駆動することを特徴とする請求項１に記載のＬＥＤ二方向性駆動回路。
【請求項１５】
第一充放電装置（ＥＳＤ１０１）を設置しない場合、前記第一発光ダイオード（ＬＥＤ１０１）は断続導電となり、前記第一発光ダイオード（ＬＥＤ１０１）は入力電圧波形及び導電と断電時間の割合に従って、また通電発光時の順電流値を相対選定し、かつ前記二方向性導電性発光ダイオードセット（Ｌ１００）の各発光ダイオードの通電発光時の順電圧ピーク値の構成を相対選択するによって、回路中の前記第一発光ダイオード（ＬＥＤ１０１）は断続導電の駆動状態である場合、導電と断電時間の割合によって、定格順電圧より高い値を通電発光の順電圧ピーク値として選定し、ただし原則として、通電発光の順電圧ピーク値は前記第一発光ダイオード（ＬＥＤ１０１）にダメージを与えてはならないことを特徴とする請求項１に記載のＬＥＤ二方向性駆動回路。
【請求項１６】
充放電可能装置を設置しない場合は、通電発光の順電圧の高低及び波形は、通電発光の順電圧が通電発光の順電流に対する割合の電流大小及び電流波形を形成し、ただし原則として、通電発光の順電流ピーク値は前記第一発光ダイオード（ＬＥＤ１０１）或いは前記第二発光ダイオード（ＬＥＤ１０２）にダメージを与えてはならないことを特徴とする請求項１に記載のＬＥＤ二方向性駆動回路。
【請求項１７】
直列式二方向性電気エネルギーパワーコントローラーに直列接続することが可能であって、
前記直列式二方向性電気エネルギーパワーコントローラー（３００）は、よく使われるメカトロニクスコンポネント或いは固体パワーコンポネント及び電子回路関連コンポネントによって構成され、二方向性電気エネルギーの出力パワーを制御し、
回路の作動機能は、
（１）前記直列式二方向性電気エネルギーパワーコントローラー（３００）を前記ＬＥＤ二方向性駆動回路（Ｕ１００）に直列接続し、二者を直列接続してから、電源からの二方向性電気エネルギーを入力し、前記直列式二方向性電気エネルギーパワーコントローラー（３００）を通して、電源からの二方向性電気エネルギーを調整制御し、またパルス幅変調を行い、導電の位相角を制御し、或いはインピーダンスを調整制御する方式でパワーを調整制御することによって、前記ＬＥＤ二方向性駆動回路（Ｕ１００）を駆動し、
或いは、（２）前記直列式二方向性電気エネルギーパワーコントローラー（３００）を前記第二インピーダンス（Ｚ１０２）と前記二方向性導電発光ダイオードセット（Ｌ１００）との間に直列接続し、前記直列式二方向性電気エネルギーパワーコントローラー（３００）を経て、前記第二インピーダンス（Ｚ１０２）の両端からの分圧の二方向性電気エネルギーを調整制御し、パルス幅変調を行い、導電の位相角を制御し、或いはインピーダンスを調整制御する方式でパワーを調整制御することによって、前記二方向性導電発光ダイオードセット（Ｌ１００）を駆動することを特徴とする請求項１に記載のＬＥＤ二方向性駆動回路。
【請求項１８】
並列式二方向性電気エネルギーパワーコントローラーに並列接続することが可能であって、
前記並列式二方向性電気エネルギーパワーコントローラー（４００）は、よく使われるメカトロニクスコンポネント或いは固体パワーコンポネント及び電子回路関連コンポネントによって構成され、二方向性電気エネルギーの出力パワーを制御し、
回路の作動機能は、
（１）前記並列式二方向性電気エネルギーパワーコントローラー（４００）の出力端を前記ＬＥＤ二方向性駆動回路（Ｕ１００）に並列接続し、かつ前記並列式二方向性電気エネルギーパワーコントローラー（４００）の入力端へ電源からの二方向性電気エネルギーを入力し、前記並列式二方向性電気エネルギーパワーコントローラー（４００）を通して、電源からの二方向性電気エネルギーを調整制御し、パルス幅変調を行い、導電の位相角を制御し、或いはインピーダンスを調整制御する方式でパワーを調整制御することより、ＬＥＤ二方向性駆動回路（Ｕ１００）を駆動し、
或いは、（２）前記並列式直流の電気エネルギーパワーコントローラー（４００）の出力端を前記二方向性導電発光ダイオードセット（Ｌ１００）の入力端と並列接続し、かつ前記並列式二方向性電気エネルギーパワーコントローラー（４００）の入力端を第二インピーダンス（Ｚ１０２）と並列接続し、前記並列式二方向性電気エネルギーパワーコントローラー（４００）を通して、前記第二インピーダンス（Ｚ１０２）の両端からの分圧の二方向性電気エネルギーを調整制御し、パルス幅変調を行い、導電の位相角を制御し、或いはインピーダンスを調整制御する方式でパワーを調整制御し、前記二方向性導電発光ダイオードセット（Ｌ１００）を駆動することを特徴とする請求項１に記載のＬＥＤ二方向性駆動回路。
【請求項１９】
ＤＣ‐ＡＣインバータより出力する電気エネルギーを受けてから駆動することが可能であって、
前記ＤＣ‐ＡＣインバータ（４０００）は、よく使われるメカトロニクス或いは固体パワーコンポネント及び電子回路関連コンポネントより構成され、入力端は必要に応じて選定する固定或いは可変電圧の直流の電気エネルギーを入力し、或いは交流電気エネルギーを整流後の直流電気エネルギーを入力し、出力端は必要に応じて選定する固定或いは可変電圧及び固定或いは可変交換極性周波数或いは周期の二方向性正弦波、二方向性方波、或いは二方向性脈動波の二方向性電気エネルギーを出力することによって、二方向性電気エネルギーの電源を給電し、
直列式二方向性電気エネルギーパワーコントローラー（３００）は、よく使われるメカトロニクスコンポネント或いは固体パワーコンポネント及び電子回路関連コンポネントによって構成され、二方向性電気エネルギーの出力パワーを制御し、
回路の作動機能は、
（１）前記直列式二方向性電気エネルギーパワーコントローラー（３００）を前記ＬＥＤ二方向性駆動回路（Ｕ１００）と直列接続してから、前記ＤＣ‐ＡＣインバータ（４０００）の出力端に並列接続し、前記直列式二方向性電気エネルギーパワーコントローラー（３００）を通して、前記ＤＣ‐ＡＣインバータ（４０００）から出力する二方向性電気エネルギーを調整制御することによって、パルス幅変調を行い、導電の位相角を制御し、或いはインピーダンスを調整制御する方式でパワーを調整制御することによって、前記ＬＥＤ二方向性駆動回路（Ｕ１００）を駆動し、
或いは、（２）前記直列式二方向性電気エネルギーパワーコントローラー（３００）を前記第二インピーダンス（Ｚ１０２）と前記二方向性導電発光ダイオードセット（Ｌ１００）との間に直列接続し、前記第二インピーダンス（Ｚ１０２）の両端からの分圧の二方向性電気エネルギーを通して、パルス幅変調を行い、導電の位相角を制御し、或いはインピーダンスを調整制御する方式でパワーを調整制御することによって、前記二方向性導電発光ダイオードセット（Ｌ１００）を駆動することを特徴とする請求項１に記載のＬＥＤ二方向性駆動回路。
【請求項２０】
ＤＣ‐ＡＣインバータより出力する電気エネルギーを受けてから駆動することが可能であって、
前記ＤＣ‐ＡＣインバータ（４０００）は、よく使われるメカトロニクス或いは固体パワーコンポネント及び電子回路関連コンポネントより構成され、入力端は必要に応じて選定する固定或いは可変電圧の直流の電気エネルギーを入力し、或いは交流電気エネルギーを整流後の直流電気エネルギーを入力し、出力端は必要に応じて選定する固定或いは可変電圧及び固定或いは可変交換極性周波数或いは周期の二方向性正弦波、二方向性方波、或いは二方向性脈動波の二方向性電気エネルギーを出力することによって、二方向性電気エネルギーの電源を給電し、
並列式二方向性電気エネルギーパワーコントローラー（４００）は、よく使われるメカトロニクスコンポネント或いは固体パワーコンポネント及び電子回路関連コンポネントによって構成され、二方向性電気エネルギーの出力パワーを制御し、
回路の作動機能は、
（１）前記並列式二方向性電気エネルギーパワーコントローラー（４００）の出力端を前記ＬＥＤ二方向性駆動回路（Ｕ１００）の入力端に並列接続し、かつ前記並列式二方向性電気エネルギーパワーコントローラー（４００）の入力端に前記ＤＣ‐ＡＣインバータ（４０００）より出力する二方向性電気エネルギーを入力してから、前記並列式二方向性電気エネルギーパワーイントローラー（４００）を通して、前記ＤＣ‐ＡＣインバータ（４０００）から出力する二方向性電気エネルギーを調整制御し、パルス幅変調、導電の位相角制御、或いはインピーダンスの調整制御の方式でパワーを制御することによって、前記ＬＥＤ二方向性駆動回路（Ｕ１００）を駆動し、
或いは、（２）前記並列式二方向性電気エネルギーパワーコントローラー（４００）の出力端を前記二方向性導電発光ダイオードセット（Ｌ１００）の入力端に並列接続し、前記並列式二方向性電気エネルギーパワーコントローラー（４００）の入力端は、前記第二インピーダンス（Ｚ１０２）に並列接続し、前記並列式二方向性電気エネルギーパワーコントローラー（４００）を通して、前記第二インピーダンス（Ｚ１０２）の両端からの分圧の二方向性電気エネルギーを調整制御し、パルス幅変調を行い、導電の位相角を制御し、或いはインピーダンスを調整制御する方式でパワーを調整制御することによって、前記二方向性導電発光ダイオードセット（Ｌ１００）を駆動することを特徴とする請求項１に記載のＬＥＤ二方向性駆動回路。
【請求項２１】
ＤＣ‐ＡＣインバータより出力する電気エネルギーを受けてから駆動することが可能であって、
ＤＣ‐ＡＣインバータ（４０００）は、よく使われるメカトロニクス或いは固体パワーコンポネント及び電子回路関連コンポネントより構成され、入力端は必要に応じて選定する固定或いは可変電圧の直流の電気エネルギーを入力し、或いは交流電気エネルギーを整流後の直流電気エネルギーを入力し、出力端は必要に応じて選定する固定或いは可変電圧及び固定或いは可変交換極性周波数或いは周期の二方向性正弦波、二方向性方波、或いは二方向性脈動波の二方向性電気エネルギーを出力することによって、二方向性電気エネルギーの電源を給電し、
回路の作動機能は、
前記ＬＥＤ二方向性駆動回路（Ｕ１００）をよく使われる前記ＤＣ‐ＡＣインバータ （４０００）の出力端に並列接続し、前記ＤＣ‐ＡＣインバータ （４０００）の入力端は、必要に応じて選定する固定或いは可変電圧直流電気エネルギーを入力し、或いは交流電気エネルギーを整流後の直流電気エネルギーを入力し、
前記ＤＣ‐ＡＣインバータ （４０００）の出力端は、必要に応じて選定した固定或いは可変電圧及び固定或いは可変交換極性周波数或いは周期の二方向性正弦波、二方向性方波、或いは二方向性脈動波の二方向性電気エネルギーを出力し、二方向性電気エネルギーの電源にすることによって、前記ＬＥＤ二方向性駆動回路（Ｕ１００）を制御と駆動し、
更に前記ＤＣ‐ＡＣインバータ（４０００）の出力パワーの制御を通して、前記ＬＥＤ二方向性駆動回路（Ｕ１００）へ伝送し、或いは出力する電気エネルギーに対して、パルス幅変調、導電の位相角制御し、或いはインピーダンスの調整制御の方式でパワーを制御することによって、前記ＬＥＤ二方向性駆動回路（Ｕ１００）の電気エネルギーパワーの伝送を制御することを特徴とする請求項１に記載のＬＥＤ二方向性駆動回路。
【請求項２２】
前記ＬＥＤ二方向性駆動回路のＬＥＤ二方向性駆動回路（Ｕ１００）を少なくとも一個のよく使われるインピーダンスコンポネント（５００）と直列に接続してから電源と並列に接続し、
前記インピーダンスコンポネント（５００）は、
（１）抵抗性インピーダンス特性を持つコンポネントよりを構成し、
或いは、（２）誘導性インピーダンス特性を持つデバスよりを構成し、
或いは、（３）キャパシティブインピーダンス特性を持つコンポネントよりを構成し、
或いは、（４）単一インピーダンスコンポネントが同時に抵抗性インピーダンス、誘導性インピーダンス或いはキャパシティブインピーダンスの中で少なくとも二種の合成インピーダンス特性を持つコンポネントより構成されることによって、直流性質のインピーダンス或いは交流性質のインピーダンスを提供し、
或いは、（５）単一インピーダンスコンポネントが誘導性インピーダンス及びキャパシティブインピーダンスの合成インピーダンス特性を持つコンポネントより構成され、固有共振周波数は、二方向性電気エネルギーからの周波数或いは周期と同じで、また並列共振状態になることが可能であり、
或いは、（６）キャパシティブインピーダンスコンポネント、誘導性インピーダンスコンポネント或いは抵抗性インピーダンスコンポネントより構成され、その中の一種或いは一種以上を含み、かつ一個或いは一個以上のインピーダンスコンポネントより構成され、或いは二種或いは二種以上の直列に接続するインピーダンスコンポネントを採用し並列或いは直並列接続より構成され、直流性質のインピーダンス或いは交流性質のインピーダンスを提供し、
或いは、（７）キャパシティブインピーダンスコンポネントと誘導性インピーダンスコンポネントが互いに直列に接続することより構成され、直列に接続してからの固有直列共振周波数と電源からの二方向性電気エネルギーの周波数或いは周期は同じで、かつ直列共振状態を形成し、また相対的にキャパシティブインピーダンスコンポネント或いは誘導性インピーダンスコンポネントの両端に、直列共振を示す相対端の電圧を形成することが可能であり、或いはキャパシティブインピーダンスと誘導性インピーダンスを互いに並列接続し、並列接続してから固有並列共振周波数と電源からの二方向性電気エネルギーの周波数或いは周期は同じで、かつ並列共振状態を形成し、かつ相対の端電圧を形成することが可能であることを特徴とする請求項１に記載のＬＥＤ二方向性駆動回路。
【請求項２３】
前記第二インピーダンス（Ｚ１０２）の誘導性インピーダンスコンポネント（Ｉ２００）の選択は、更に誘導効果を持つ変圧器電源巻線によって取替えることが可能であって、
そのうちの単巻変圧器（ＳＴ２００）は、昇圧機能を持つ単巻変圧巻線（Ｗ０）であって、前記単巻変圧器（ＳＴ２００）の前記単巻変圧巻線（Ｗ０）のｂ、ｃ端の電源側によって、前記第二インピーダンス（Ｚ１０２）の中の前記誘導性インピーダンスコンポネント（Ｉ２００）を取り換え、前記第二インピーダンス（Ｚ１０２）を構成し、前記単巻変圧器（ＳＴ２００）のａ、ｃ出力端から昇圧交流電気エネルギーを出力することによって、前記二方向性導電発光ダイオードセット（Ｌ１００）を駆動することを特徴とする請求項１に記載のＬＥＤ二方向性駆動回路。
【請求項２４】
前記第二インピーダンス（Ｚ１０２）の誘導性インピーダンスコンポネント（Ｉ２００）の選択は、更に誘導効果を持つ変圧器電源巻線によって取替えることが可能であって、
そのうちの単巻変圧器（ＳＴ２００）は、降圧機能を持つ単巻変圧巻線（Ｗ０）であって、前記単巻変圧器（ＳＴ２００）の前記単巻変圧巻線（Ｗ０）のａ、ｃ端の電源側によって、前記第二インピーダンス（Ｚ１０２）の中の前記誘導性インピーダンスコンポネント（Ｉ２００）を取り換え、前記第二インピーダンス（Ｚ１０２）を構成し、前記単巻変圧器（ＳＴ２００）のｂ、ｃ出力端から降圧交流電気エネルギーを出力することによって、前記二方向性導電発光ダイオードセット（Ｌ１００）を駆動することを特徴とする請求項１に記載のＬＥＤ二方向性駆動回路。
【請求項２５】
前記第二インピーダンス（Ｚ１０２）の誘導性インピーダンスコンポネント（Ｉ２００）の選択は、更に誘導効果を持つ変圧器電源巻線によって取替えることが可能であって、
そのうちの分離式変圧器（ＩＴ２００）は、一次巻線（Ｗ１）及び二次巻線（Ｗ２）によって構成され、前記一次巻線（Ｗ１）と前記二次巻線（Ｗ２）が分離状態を示し、前記一次巻線（Ｗ１）によって前記第二インピーダンス（Ｚ１０２）を構成し、前記分離式変圧器（ＩＴ２００）の前記二次巻線（Ｗ２）の出力電圧は、必要に応じて昇圧或いは降圧を選択し、二次巻線から出力する交流電気エネルギーを前記二方向性導電発光ダイオードセット（Ｌ１００）へ伝送し、
変圧器の電源巻線によって前記第二インピーダンス（Ｚ１０２）の中の前記誘導性インピーダンスコンポネント（Ｉ２００）を取換え、かつ前記分離式変圧器（ＩＴ２００）の二次側昇圧出力の交流電圧或いは降圧出力の交流の電気エネルギーより、前記二方向性導電発光ダイオードセット（Ｌ１００）を駆動することを特徴とする請求項１に記載のＬＥＤ二方向性駆動回路。
【請求項２６】
前記第二インピーダンス（Ｚ１０２）の誘導性インピーダンスコンポネント（Ｉ２００）の選択は、更に誘導効果を持つ変圧器電源巻線によって取替えることが可能であって、
そのうちの単巻変圧器（ＳＴ２００）は、昇圧機能を持つ単巻変圧巻線（Ｗ０）であって、前記単巻変圧器（ＳＴ２００）の前記単巻変圧巻線（Ｗ０）のｂ・ｃ端を電源側とし、前記第二インピーダンス（Ｚ１０２）の中の前記誘導性インピーダンスコンポネント（Ｉ２００）を取り替えることによって、第三コンデンサ（Ｃ２００）と並列に接続し、並列接続後の固有並列共振周波数は、電源からの二方向性電気エネルギー、例えば交流電気エネルギーの周波数或いは直流電気エネルギーから変換される固定或いは可変電圧及び固定或いは可変交換極性周期の電気エネルギーの交換極性周期と同じで、かつ並列共振状態を形成することによって、前記第二インピーダンス（Ｚ１０２）を構成し、前記第一インピーダンス（Ｚ１０１）を構成する第一コンデンサ（Ｃ１００）と直列に接続し、前記第三コンデンサ（Ｃ２００）は前記単巻変圧器（ＳＴ２００）のタップのａ、ｃ間或いはｂ、ｃ間或いは必要に応じてほかのタップ間での並列接続の選択が可能で、前記単巻変圧器（ＳＴ２００）の前記単巻変圧巻線（Ｗ０）のａ、ｃ出力端より昇圧交流の電気エネルギーを出力することより、前記二方向性導電発光ダイオードセット（Ｌ１００）を駆動することを特徴とする請求項１に記載のＬＥＤ二方向性駆動回路。
【請求項２７】
前記第二インピーダンス（Ｚ１０２）の誘導性インピーダンスコンポネント（Ｉ２００）の選択は、更に誘導効果を持つ変圧器電源巻線によって取替えることが可能であって、
そのうちの単巻変圧器（ＳＴ２００）は、降圧機能を持つ単巻変圧巻線（Ｗ０）であって、前記単巻変圧器（ＳＴ２００）の前記単巻変圧巻線（Ｗ０）のａ・ｃ端を電源側とし、前記第二インピーダンス（Ｚ１０２）の中の前記誘導性インピーダンスコンポネント（Ｉ２００）を取り替えることによって、第三コンデンサ（Ｃ２００）と並列に接続し、並列接続後の固有並列共振周波数は、電源からの二方向性電気エネルギー、例えば交流電気エネルギーの周波数或いは直流電気エネルギーから変換される固定或いは可変電圧及び固定或いは可変交換極性周期の電気エネルギーの交換極性周期と同じで、かつ並列共振状態を形成することによって、前記第二インピーダンス（Ｚ１０２）を構成し、前記第一インピーダンス（Ｚ１０１）を構成する第一コンデンサ（Ｃ１００）と直列に接続し、前記第三コンデンサ（Ｃ２００）は前記単巻変圧器（ＳＴ２００）のタップのａ、ｃ間或いはｂ、ｃ間或いは必要に応じてほかのタップ間での並列接続の選択が可能で、前記単巻変圧器（ＳＴ２００）の前記単巻変圧巻線（Ｗ０）のｂ、ｃ出力端より降圧交流の電気エネルギーを出力することより、前記二方向性導電発光ダイオードセット（Ｌ１００）を駆動することを特徴とする請求項１に記載のＬＥＤ二方向性駆動回路。
【請求項２８】
前記第二インピーダンス（Ｚ１０２）の誘導性インピーダンスコンポネント（Ｉ２００）の選択は、更に誘導効果を持つ変圧器電源巻線によって取替えることが可能であって、
そのうちの分離式変圧器（ＩＴ２００）は一次巻線（Ｗ１）及び二次巻線（Ｗ２）によって構成され、前記一次巻線（Ｗ１）と前記二次巻線（Ｗ２）との二者が分離され、前記一次巻線（Ｗ１）は第三コンデンサ（Ｃ２００）と並列に接続し、並列接続後の固有並列共振周波数は、電源からの二方向性電気エネルギー、例えば交流電気エネルギーの周波数或いは直流電気エネルギーから変換される固定或いは可変電圧及び固定或いは可変交換極性周期の電気エネルギーの交換極性周期と同じで、かつ並列共振状態を形成することによって、前記第二インピーダンス（Ｚ１０２）を構成してから、前記第一インピーダンス（Ｚ１０１）を構成する第一コンデンサ（Ｃ１００）と直列に接続し、前記第三コンデンサ（Ｃ２００）は前記単巻変圧器（ＳＴ２００）のタップのａ、ｃ間或いはｂ、ｃ間或いは必要に応じてほかのタップ間での並列接続の選択が可能であり、前記分離式変圧器（ＩＴ２００）の二次巻線（Ｗ２）の出力電圧は、必要に応じて昇圧或いは降圧に選択することが可能で、二次巻線の出力の交流の電気エネルギーは、二方向性導電発光ダイオードセット（Ｌ１００）へ出力し、
変圧器の電源巻線によって前記第二インピーダンス（Ｚ１０２）の中の前記誘導性インピーダンスコンポネント（Ｉ２００）を取換え、前記第三コンデンサ（Ｃ２００）と並列に接続し、並列共振を形成することによって、前記第二インピーダンス（Ｚ１０２）を構成し、前記分離式変圧器（ＩＴ２００）の二次側昇圧出力の交流電圧或いは降圧出力の交流の電気エネルギーより、前記二方向性導電発光ダイオードセット（Ｌ１００）を駆動することを特徴とする請求項１に記載のＬＥＤ二方向性駆動回路。
【発明の詳細な説明】
【技術分野】
【０００１】
本発明は、ＬＥＤ二方向性駆動回路に関し、特に、二方向性電気エネルギーインピーダンス分圧によるＬＥＤ二方向性駆動回路に関する。本発明は、一種の交流電気エネルギー或いは周期交換極性を持つ電気エネルギーが、互いに直列接続する抵抗性・誘導性・キャパシティブインピーダンスコンポネントへ伝送する電源に用いられ、その電源電圧を分圧させ、さらに第一インピーダンス及び第二インピーダンスの両端に分圧された電気エネルギーによって二方向性導電の発光ダイオードを駆動し、或いは第一インピーダンス及び第二インピーダンスの両端にそれぞれ並列接続する少なくとも二個の二方向性導電発光ダイオードセットを駆動する。
【背景技術】
【０００２】
従来の交流の電気エネルギー或いは直流の電気エネルギーをＬＥＤ駆動回路の電源とするとき、ＬＥＤ電流を制限するために、通常は限流抵抗を直列接続してインピーダンスとするが、直列抵抗性インピーダンスの電圧が下がると、電気エネルギーを損失し、蓄熱するという欠点がある。
【発明の概要】
【発明が解決しようとする課題】
【０００３】
本発明の目的は、高周波の二方向性電気エネルギーの電源へ応用する、小型化・軽量化・コスト削減が可能な、ＬＥＤ二方向性駆動回路を提供することにある。
【課題を解決するための手段】
【０００４】
本発明はキャパシティブ・誘導性・抵抗性インピーダンスコンポネントによって第一インピーダンスを構成し、キャパシティブ・誘導性・抵抗性インピーダンスコンポネントによって第二インピーダンスを構成し、かつ第一インピーダンスと第二インピーダンスを互いに直列接続したその両端は、以下のいずれかが入力される。
（１）固定或いは可変電圧及び固定或いは可変周波数の交流電気エネルギー。
【０００５】
（２）直流電源から変換される固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再変換した固定或いは可変電圧及び固定或いは可変周波数或いは周期の二方向性正弦波電圧、二方向性方波電圧、或いは二方向性脈動波形の電圧の交流電気エネルギー。
上述電源の電気エネルギーの入力を通して、第一インピーダンス及び第二インピーダンスに分圧を形成し、かつ第一発光ダイオードと第二発光ダイオードとを逆極性に並列接続することによって、二方向性導電発光ダイオードセットを構成し、また第二インピーダンスの両端に並列接続し、第二インピーダンスの両端における分圧によって駆動かつ発光する。
【図面の簡単な説明】
【０００６】
【図１】本発明の実施形態によるＬＥＤ二方向性駆動回路例を示すブロック図。
【図２】本発明の第１実施形態によるＬＥＤ二方向性駆動回路の回路例を示す模式図。
【図３】本発明の第１実施形態によるＬＥＤ二方向性駆動回路の他の回路例を示す模式図。
【図４】本発明の第１実施形態によるＬＥＤ二方向性駆動回路のさらに他の回路例を示す模式図。
【図５】本発明の第２実施形態によるＬＥＤ二方向性駆動回路の回路例を示す模式図。
【図６】本発明の第２実施形態によるＬＥＤ二方向性駆動回路の他の回路例を示す模式図。
【図７】本発明の第２実施形態によるＬＥＤ二方向性駆動回路のさらに他の回路例を示す模式図。
【図８】本発明の第３実施形態によるＬＥＤ二方向性駆動回路の回路例を示す模式図。
【図９】本発明の第３実施形態によるＬＥＤ二方向性駆動回路の他の回路例を示す模式図。
【図１０】本発明の第３実施形態によるＬＥＤ二方向性駆動回路のさらに他の回路例を示す模式図。
【図１１】本発明の実施形態に係る二方向性導電発光ダイオードセットの回路を示す模式図。
【図１２】本発明の第４実施形態によるＬＥＤ二方向性駆動回路において、能動制御回路装置を接続した回路例を示すブロック図。
【図１３】本発明の第５実施形態によるＬＥＤ二方向性駆動回路において、能動制御回路装置を接続した回路例を示すブロック図。
【図１４】本発明の第６実施形態によるＬＥＤ二方向性駆動回路において、能動制御回路装置を接続した回路例を示すブロック図。
【図１５】本発明の第７実施形態によるＬＥＤ二方向性駆動回路において、能動制御回路装置を接続した回路例を示すブロック図。
【図１６】本発明の第８実施形態によるＬＥＤ二方向性駆動回路において、能動制御回路装置を接続した回路例を示すブロック図。
【図１７】本発明の第９実施形態によるＬＥＤ二方向性駆動回路において、能動制御回路装置を接続した回路例を示すブロック図。
【図１８】本発明の第９実施形態によるＬＥＤ二方向性駆動回路において、能動制御回路装置を接続した回路例を示すブロック図。
【図１９】本発明の第１０実施形態によるＬＥＤ二方向性駆動回路の昇圧回路例を示す模式図。
【図２０】本発明の第１０実施形態によるＬＥＤ二方向性駆動回路の降圧回路例を示す模式図。
【図２１】本発明の第１０実施形態によるＬＥＤ二方向性駆動回路の他の回路例を示す模式図。
【図２２】本発明の第１１実施形態によるＬＥＤ二方向性駆動回路の昇圧回路例を示す模式図。
【図２３】本発明の第１１実施形態によるＬＥＤ二方向性駆動回路の降圧回路例を示す模式図。
【図２４】本発明の第１１実施形態によるＬＥＤ二方向性駆動回路の他の回路例を示す模式図。
【発明を実施するための形態】
【０００７】
以下、本発明の実施形態を図面に基づいて説明する。
本発明の実施形態によるＬＥＤ二方向性駆動回路は、キャパシティブ、誘導性、抵抗性インピーダンスコンポネントによって、少なくとも一個の第一インピーダンスを構成する。また、キャパシティブ・誘導性・抵抗性インピーダンスコンポネントによって、少なくとも一個の第二インピーダンスを構成する。さらに、少なくとも一個の第一発光ダイオードと少なくとも一個の第二発光ダイオードを逆極性に並列接続することによって、少なくとも一個の二方向性導電発光ダイオードセットを構成し、かつ少なくとも一個の第二インピーダンスの両端に並列接続し、かつ少なくとも一個の第一インピーダンスと少なくとも一個の第二インピーダンスとを互いに直列接続したその両端は、以下のいずれかが入力される。
【０００８】
（１）固定或いは可変電圧及び固定或いは可変周波数の交流電気エネルギー。
（２）直流電源から変換した固定或いは可変電圧及び固定或いは可変周波数或いは周期の二方向性正弦波電圧、二方向性方波電圧、或いは二方向性脈動波形の電圧に変換する交流電気エネルギー。
（３）交流電気エネルギーを整流した直流電気エネルギーを再変換した固定或いは可変電圧及び固定或いは可変周波数或いは周期の二方向性正弦波電圧、二方向性方波電圧、或いは二方向性脈動波形の電圧の交流電気エネルギー。
【０００９】
上述の電気エネルギーは、直列接続する第一インピーダンスコンポネント及び第二インピーダンスコンポネントに電気エネルギーの分圧を形成し、分圧の電気エネルギーは、少なくとも一個の二方向性導電発光ダイオードセットを駆動し、或いは少なくとも二個の第一インピーダンス及び第二インピーダンスの両端にそれぞれ並列接続する二方向性導電発光ダイオードセットを駆動し、本発明の実施形態によるＬＥＤ二方向性駆動回路を構成する。
【００１０】
図１は、本発明の実施形態によるＬＥＤ二方向性駆動回路例を示すブロック図である。図１に示すように、ＬＥＤ二方向性駆動回路Ｕ１００による関連回路機能及び構成を以下に示す。
ＬＥＤ二方向性駆動回路Ｕ１００は、第一インピーダンスＺ１０１と、第二インピーダンスＺ１０２と、二方向性導電発光ダイオードセットＬ１００とを備える。
【００１１】
第一インピーダンスＺ１０１は、以下のいずれかを満たす。
（１）キャパシティブインピーダンスコンポネント、誘導性インピーダンスコンポネント、或いは抵抗性等インピーダンスコンポネントの中の一種或いは一種以上及び一個或いは一個以上によって構成され、或いは二種或いは二種以上のインピーダンスコンポネントによって構成され、かつ各種インピーダンスコンポネントを別々に一個或いは一個以上を直列、並列または直並列接続することによって構成する。
【００１２】
（２）少なくとも一個のキャパシティブインピーダンスコンポネントと少なくとも一個の誘導性インピーダンスコンポネントとを互いに直列接続することによって構成し、かつ電源からの二方向性電気エネルギー、例えば交流電気エネルギーの周波数、或いは直流電気エネルギーから変換される固定或いは可変電圧及び固定或いは可変交換極性周期の電気エネルギーの交換極性周期と同じで、かつ直列共振（ｓｅｒｉｅｓ  ｒｅｓｏｎａｎｃｅ）状態を形成する。
【００１３】
（３）少なくとも一個のキャパシティブインピーダンスコンポネント及び少なくとも一個の誘導性インピーダンスコンポネントを互いに並列接続し、かつ電源からの二方向性電気エネルギー、例えば交流電気エネルギーの周波数、或いは直流電気エネルギーから変換される固定或いは可変電圧及び固定或いは可変交換極性周期の電気エネルギーの交換極性周期と同じで、かつ並列共振（ｐａｒａｌｌｅｌ  ｒｅｓｏｎａｎｃｅ）インピーダンス状態を形成する。
【００１４】
第二インピーダンスＺ１０２は、以下のいずれかを満たす。
（１）キャパシティブ・誘導性・抵抗性等インピーダンスコンポネントの中の一種或いは一種以上及び一個或いは一個以上によって構成され、或いは二種或いは二種以上のインピーダンスコンポネントによって構成され、かつ各種インピーダンスコンポネントを別々に一個或いは一個以上を直列、並列または直並列接続することによって構成する。
【００１５】
（２）少なくとも一個のキャパシティブインピーダンスコンポネントと少なくとも一個の誘導性インピーダンスコンポネントとを互いに直列接続することによって構成し、かつ電源からの二方向性電気エネルギー、例えば交流電気エネルギーの周波数、或いは直流電気エネルギーによって変換される固定或いは可変電圧及び固定或いは可変交換極性周期の電気エネルギーの交換極性周期と同じで、かつ直列共振状態を形成する。
【００１６】
（３）少なくとも一個のキャパシティブ及び少なくとも一個の誘導性インピーダンスコンポネントを互いに並列接続し、かつ電源からの二方向性電気エネルギー、例えば交流電気エネルギーの周波数或いは直流電気エネルギーによって変換される固定或いは可変電圧、及び固定或いは可変交換極性周期の電気エネルギーの交換極性周期と同じで、かつ並列共振インピーダンス状態を形成する.
【００１７】
少なくとも一個の第一インピーダンスＺ１０１と少なくとも一個の第二インピーダンスＺ１０２とを互いに直列接続し、第一インピーダンスＺ１０１と第二インピーダンスＺ１０２とを互いに直列接続したその両端は、以下のいずれかが入力される。
（１）固定或いは可変電圧及び固定或いは可変周波数の交流電気エネルギー。
（２）直流電源から変換された固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再変換した固定或いは可変電圧及び固定或いは可変周波数或いは周期の二方向性正弦波電圧、二方向性方波電圧、或いは二方向性脈動波形の電圧の交流電気エネルギー。
【００１８】
二方向性導電発光ダイオードセットＬ１００は、少なくとも一個の第一発光ダイオードＬＥＤ１０１と少なくとも一個の第二発光ダイオードＬＥＤ１０２とが逆極性に並列接続することによって構成される。第一発光ダイオードＬＥＤ１０１と第二発光ダイオードＬＥＤ１０２との数量は同じ或いは異なることが可能で、第一発光ダイオードＬＥＤ１０１と第二発光ダイオードＬＥＤ１０２とは、一個の個別発光ダイオードの順発光電流極性によって構成され、或いは二個或いは二個以上の発光ダイオードの順発光電流極性が直列或いは並列接続して構成され、或いは三個或いは三個以上の発光ダイオード順発光電流極性を直列接続、並列接続または直並列接続して構成される。二方向性導電発光ダイオードセットＬ１００は必要に応じて、一セット或いは一セット以上を選択設置することによって、第一インピーダンスＺ１０１或いは第二インピーダンスＺ１０２の二者、或いはその中の一つの両端に並列接続し、入力する電気エネルギーが第一インピーダンスＺ１０１の両端及び第二インピーダンスＺ１０２の両端に形成する電気エネルギー分圧を通して、第一インピーダンスＺ１０１或いは第二インピーダンスＺ１０２の両端に並列接続する二方向性導電発光ダイオードセットＬ１００を駆動して発光する。
【００１９】
本発明の実施形態によるＬＥＤ二方向性駆動回路Ｕ１００の中にある第一インピーダンスＺ１０１、第二インピーダンスＺ１０２及び二方向性導電発光ダイオードセットＬ１００は、必要に応じて別々に一個或いは一個以上の選択が可能である。
上述の電気エネルギーは、直列接続する第一インピーダンスコンポネント及び第二インピーダンスコンポネントに電気エネルギーの分圧を形成し、分圧の電気エネルギーは、少なくとも一個の二方向性導電発光ダイオードセットを駆動し、或いは少なくとも二個の第一インピーダンス及び第二インピーダンスの両端にそれぞれ並列接続する二方向性導電発光ダイオードセットを駆動し、本発明の実施形態によるＬＥＤ二方向性駆動回路を構成する。
【００２０】
（第１実施形態）
以下、本発明の第１実施形態によるＬＥＤ二方向性駆動回路において、その回路例のコンポネントの選択を説明する。
（１）一個の第一インピーダンスＺ１０１と一個の第二インピーダンスＺ１０２と一個の二方向性導電発光ダイオードセットＬ１００とを設置し、ただし実際に応用するとき、選択数量を制限することではない。
（２）コンデンサのキャパシティブインピーダンスをインピーダンスコンポネントの代表として、本実施形態においては、第一インピーダンスＺ１０１及び第二インピーダンスＺ１０２を構成する。実際に応用するとき、必要に応じてキャパシティブ・誘導性・抵抗性インピーダンスコンポネントの選択使用が可能で、以下に詳しく説明する。
【００２１】
図２は本発明の第１実施形態によるＬＥＤ二方向性駆動回路の回路例を示す模式図であって、第一インピーダンスＺ１０１、第二インピーダンスＺ１０２及び二方向性導電発光ダイオードセットＬ１００を備える。
第一インピーダンスＺ１０１は、少なくとも一個のキャパシティブインピーダンスによって構成される。特にコンデンサＣ１００によって構成される。第一インピーダンスの数量は一個或いは一個以上である。
【００２２】
第二インピーダンスＺ１０２は、少なくとも一個のキャパシティブインピーダンスによって構成される。特にコンデンサＣ１０２によって構成される。第二インピーダンスの数量は一個或いは一個以上である。
少なくとも一個の第一インピーダンスＺ１０１と少なくとも一個の第二インピーダンスＺ１０２を直列接続する、二者を直列接続したその両端は、以下のいずれかが入力される。
【００２３】
（１）固定或いは可変電圧及び固定或いは可変周波数の交流電気エネルギー。
（２）直流電源から変換された固定或いは可変電圧及び固定或いは可変周波数或いは周期の二方向性正弦波電圧、二方向性方波電圧、或いは二方向性脈動波形の電圧の交流電気エネルギー。
（３）交流電気エネルギーを整流した直流電気エネルギーを再変換した固定或いは可変電圧及び固定或いは可変周波数或いは周期の二方向性正弦波電圧、二方向性方波電圧、或いは二方向性脈動波形の電圧の交流電気エネルギー。
上述の電気エネルギーによって、第一インピーダンスコンポネント及び第二インピーダンスコンポネントを直列接続し、電気エネルギーの分圧を形成させ、この分圧の電気エネルギーによって、少なくとも一個の二方向性導電発光ダイオードセットＬ１００を駆動する。
【００２４】
二方向性導電発光ダイオードセットＬ１００は、少なくとも一個の第一発光ダイオードＬＥＤ１０１と少なくとも一個の第二発光ダイオードＬＥＤ１０２とが逆極性に並列接続することによって構成される。第一発光ダイオードＬＥＤ１０１と第二発光ダイオードＬＥＤ１０２との数量は同じ或いは異なることが可能で、第一発光ダイオードＬＥＤ１０１と第二発光ダイオードＬＥＤ１０２とは、一個の個別発光ダイオードの順発光電流極性によって構成され、或いは二個或いは二個以上の発光ダイオードの順発光電流極性が直列或いは並列接続して構成され、或いは三個或いは三個以上の発光ダイオード順発光電流極性を直列接続、並列接続または直並列接続によって構成される。二方向性導電発光ダイオードセットＬ１００は、必要に応じて、一セット或いは一セット以上を選択設置することによって、第一インピーダンスＺ１０１或いは第二インピーダンスＺ１０２の二者或いはその中の一つの両端に並列接続し、入力する電気エネルギーが第一インピーダンスＺ１０１の両端及び第二インピーダンスＺ１０２の両端に形成する電気エネルギー分圧を通して、第一インピーダンスＺ１０１或いは第二インピーダンスＺ１０２の両端に並列接続する二方向性導電発光ダイオードセットＬ１００を駆動して発光する。
【００２５】
或いは、少なくとも一セットの二方向性導電発光ダイオードセットＬ１００と少なくとも一個の第二インピーダンスＺ１０２の両端を並列接続し、即ち第二インピーダンスＺ１０２を構成するコンデンサＣ１０２の両端に並列接続し、コンデンサＣ１０２の両端にある分電圧の電気エネルギーによって駆動され、また第一インピーダンスＺ１０１のインピーダンスを通して、電流を制限する。コンデンサＣ１００を選用するとき、例えば双極性コンデンサを第一インピーダンスコンポネントにするとき、キャパシティブインピーダンスによって、出力電流を制限する。
【００２６】
第一インピーダンスＺ１０１、第二インピーダンスＺ１０２及び二方向性導電発光ダイオードセットＬ１００を上述線路構造に従って接続することによって、ＬＥＤ二方向性駆動回路Ｕ１００を構成する。かつ上述二方向性導電発光ダイオードセットＬ１００と第二インピーダンスＺ１０２を並列接続し、形成する電流の分流効果によって、電源電圧が変動するとき、二方向性導電発光ダイオードセットＬ１００の両端に相対する電源の電圧変動率を減少させる。
【００２７】
本発明の第１実施形態によるＬＥＤ二方向性駆動回路のＬＥＤ二方向性駆動回路Ｕ１００において、二方向性導電発光ダイオードセットＬ１００を構成する第一発光ダイオードＬＥＤ１０１及び第二発光ダイオードＬＥＤ１０２は、以下を満たす。
（１）第一発光ダイオードＬＥＤ１０１は一個或いは一個以上の発光ダイオードで、順極性に直列接続、同極性に並列接続・直並列接続によって構成されることが可能である。
【００２８】
（２）第二発光ダイオードＬＥＤ１０２は一個或いは一個以上の発光ダイオードで、順極性に直列接続、同極性に並列接続・直並列接続によって構成されることが可能である。
（３）第一発光ダイオードＬＥＤ１０１と第二発光ダイオードＬＥＤ１０２とを構成する発光ダイオードの数量は、同じ或いは異なることが可能である。
（４）第一発光ダイオードＬＥＤ１０１と第二発光ダイオードＬＥＤ１０２とを構成する個別発光ダイオードは一個以上であるとき、その所属する個別発光ダイオード間の接続関係は、同じ或いは異なる直列、並列または直並列接続することが可能である。
【００２９】
（５）第一発光ダイオードＬＥＤ１０１或いは第二発光ダイオードＬＥＤ１０２の中の一つが、ダイオードＣＲ１００によって取り替えられると、ダイオードＣＲ１００の電流の流れ方向と、並列接続された残りの第一発光ダイオードＬＥＤ１０１或いは第二発光ダイオードＬＥＤ１０２の作動電流の流れ方向とは、逆極性に並列接続することが可能である。
【００３０】
図３に本発明の第１実施形態による二方向性導電発光ダイオードセットＬ１００を逆極性に並列接続する第一発光ダイオードＬＥＤ１０１及びダイオードＣＲ１００によって構成される回路例を示す模式図を示す。
本発明の第１実施形態によるＬＥＤ二方向性駆動回路Ｕ１００は、実際に応用するときは、図１、図２及び図３に示すように、必要に応じて以下の補助性回路コンポネントを選択し、必要に応じて設置するかしないかの選択が可能である。さらに、その設置数量は一個或いは一個以上によって構成する選択を含む。もし一個以上を選択する場合、回路機能のニーズに従って、相対極性関係を直列、並列または直並列接続にすることを選定し、その選択補助性回路コンポネントについて、以下に説明する。
【００３１】
ダイオードＣＲ１０１は、オプションコンポネントである。第一発光ダイオードＬＥＤ１０１に直列接続することによって、逆電圧過高を防ぐ。
ダイオードＣＲ１０２は、オプションコンポネントである。第二発光ダイオードＬＥＤ１０２に直列接続することによって、逆電圧過高を防ぐ。
放電抵抗Ｒ１０１は、オプションコンポネントである。第一インピーダンスＺ１０１のコンデンサＣ１００の両端に並列接続することによって、コンデンサＣ１００の残留電荷を放電する。
【００３２】
放電抵抗Ｒ１０２は、オプションコンポネントである。第二インピーダンスＺ１０２のコンデンサＣ１０２の両端に並列接続することによって、コンデンサＣ１０２の残留電荷を放電する。
限流抵抗Ｒ１０３は、オプションコンポネントである。個別二方向性導電発光ダイオードセットＬ１００を構成する第一発光ダイオードＬＥＤ１０１を直列に接続することによって、第一発光ダイオードＬＥＤ１０１の通過電流を制限する。限流抵抗Ｒ１０３は誘導性インピーダンスＩ１０３によって取り替えられることが可能である。
【００３３】
限流抵抗Ｒ１０４は、オプションコンポネントである。個別二方向性導電発光ダイオードセットＬ１００の第二発光ダイオードＬＥＤ１０２を直列に接続することによって、第二発光ダイオードＬＥＤ１０２の通過電流を制限する。限流抵抗Ｒ１０４は誘導性インピーダンスコンポネントＩ１０４によって取り替えられることが可能である。
ＬＥＤ二方向性駆動回路Ｕ１００の二方向性導電発光ダイオードセットＬ１００を構成する第一発光ダイオードＬＥＤ１０１及び第二発光ダイオードＬＥＤ１０２の中に、同時に限流抵抗Ｒ１０３及びＲ１０４を設置する場合、限流機能を得るために、限流抵抗Ｒ１００を直接二方向性導電発光ダイオードセットＬ１００と直列接続することによって取り替える或いは同時に設置することが可能である。限流抵抗Ｒ１００は誘導性インピーダンスコンポネントＩ１００によって取り替えられることが可能である。
上記回路構造及び補助回路コンポネントの選択に従って、ＬＥＤ二方向性駆動回路Ｕ１００を構成する。図４に本発明の第１実施形態によるＬＥＤ二方向性駆動回路において、限流抵抗Ｒ１００によって二方向性導電発光ダイオードセットＬ１００と直列に接続する回路例の模式図を示す。
【００３４】
（第２実施形態）
発光ダイオードを保護し、発光ダイオードの異常電圧による損傷或いは寿命短縮を防ぐために、本発明の第２実施形態によるＬＥＤ二方向性駆動回路Ｕ１００の中に、図５及び図６の回路例に示すように、更に二方向性導電発光ダイオードセットＬ１００を構成する第一発光ダイオードＬＥＤ１０１及び第二発光ダイオードＬＥＤ１０２の両端をツェナーダイオードと並列に接続し、或いはツェナーダイオードをまず少なくとも一個のダイオードと直列に接続し、ツェナー電圧を生じさせてから、再び第一発光ダイオードＬＥＤ１０１或いは第二発光ダイオードＬＥＤ１０２の両端に並列接続する。
【００３５】
図５に図２の回路中の二方向性導電発光ダイオードセットにツェナーダイオードを加設する回路例の模式図を示す。
図６に図３の回路中の二方向性導電発光ダイオードセットにツェナーダイオードを加設する回路例の説明図を示す。
図７に図４の回路中の二方向性導電発光ダイオードセットにツェナーダイオードを加設する回路例の説明図を示す。
【００３６】
この構成について以下に説明する。
二方向性導電発光ダイオードセットＬ１００を構成する第一発光ダイオードＬＥＤ１０１の両端をツェナーダイオードＺＤ１０１と並列接続し、その極性関係はツェナーダイオードＺＤ１０１のツェナー電圧によって、第一発光ダイオードＬＥＤ１０１の両端の作動電圧を制限する。
【００３７】
ツェナーダイオードＺＤ１０１は、必要に応じてダイオードＣＲ２０１を選択設置し、ツェナーダイオードＺＤ１０１との直列接続が可能である。その利点は、
１）ツェナーダイオードＺＤ１０１を保護し、逆方向電流を防ぐことが可能であること、及び２）ダイオードＣＲ２０１とツェナーダイオードＺＤ１０１との二者は、温度補償效果を持っていること、である。
【００３８】
二方向性導電発光ダイオードセットＬ１００に第二発光ダイオードＬＥＤ１０２を選択使用する場合、必要に応じて第二発光ダイオードＬＥＤ１０２の両端を選択し、ツェナーダイオードＺＤ１０２と並列に接続することが可能で、その極性関係はツェナーダイオードＺＤ１０２のツェナー電圧によって、第二発光ダイオードＬＥＤ１０２の両端の作動電圧を制限する。
【００３９】
上記のツェナーダイオードＺＤ１０２は、必要に応じてダイオードＣＲ２０２を選択設置し、ツェナーダイオードＺＤ１０２と直列に接続することが可能で、その利点は、１）ツェナーダイオードＺＤ１０２を保護し、逆方向電流を防ぐことが可能であること、及び２）ダイオードＣＲ２０２とツェナーダイオードＺＤ１０２の二者は、温度補償效果を持っていること、である。
【００４０】
ツェナーダイオードの構成は以下のいずれかを満たす。
（１）二方向性導電発光ダイオードセットＬ１００を構成する第一発光ダイオードＬＥＤ１０１の両端に、ツェナーダイオードＺＤ１０１を並列接続すると同時に、第二発光ダイオードＬＥＤ１０２の両端に、ツェナーダイオードＺＤ１０２を並列接続する。
（２）二個のツェナーダイオードＺＤ１０１及びＺＤ１０２を逆方向に直列接続してから、更に二方向性導電発光ダイオードセットＬ１００の両端に並列接続する。
（３）二方向性ツェナー効果を持つダイオードと並列接続する二方向性導電発光ダイオードセットＬ１００の回路に取り替える。
上記の三種類の回路は、全て第一発光ダイオードＬＥＤ１０１及び第二発光ダイオードＬＥＤ１０２の端電圧過高を防ぐことが可能である。
【００４１】
（第３実施形態）
本発明の第３実施形態によるＬＥＤ二方向性駆動回路のＬＥＤ二方向性駆動回路Ｕ１００は、図８、図９及び図１０の回路例に示すように、発光ダイオードによって形成する光源の発光安定性を高めるために、更に第一発光ダイオードＬＥＤ１０１に充放電可能装置ＥＳＤ１０１を設置し、或いは第二発光ダイオードＬＥＤ１０２に充放電可能装置ＥＳＤ１０２を設置することが可能である。
【００４２】
充放電可能装置ＥＳＤ１０１及び充放電可能装置ＥＳＤ１０２は、アットランダムに充電或いは電気エネルギーを放出する特性があって、第一発光ダイオードＬＥＤ１０１或いは第二発光ダイオードＬＥＤ１０２の発光安定性を安定させ、また発光照度の脈動を下げることが可能である。上記の充放電可能装置ＥＳＤ１０１、ＥＳＤ１０２は、各種のよく使われる充放電可能な電池、コンデンサまたは超コンデンサによって構成される。
【００４３】
本発明の第３実施形態によるＬＥＤ二方向性駆動回路は、必要に応じて充放電可能装置を選択設置するが可能で、その応用回路について以下に説明する。
図８は、本発明の第３実施形態によるＬＥＤ二方向性駆動回路の回路例を示す模式図である。
【００４４】
ＬＥＤ二方向性駆動回路Ｕ１００は、限流抵抗Ｒ１０３を第一発光ダイオードＬＥＤ１０１と直列接続後の両端に、充放電可能装置ＥＳＤ１０１を並列に接続することが可能であり、或いは更に限流抵抗Ｒ１０４を第二発光ダイオードＬＥＤ１０２と直列に接続したその両端に、充放電可能装置ＥＳＤ１０２を並列に接続することが可能である。
図８は、第２実施形態の図５に示した回路中の第一発光ダイオード、第二発光ダイオード及び直列接続する限流抵抗の両端に充放電可能装置を並列接続する回路例を示す。その構成について、以下に説明する。
【００４５】
第一発光ダイオードＬＥＤ１０１と限流抵抗Ｒ１０３とを直列に接続したその両端、或いは直接第一発光ダイオードＬＥＤ１０１の両端に、極性に従って充放電可能装置ＥＳＤ１０１を並列接続する。充放電可能装置ＥＳＤ１０１は、アットランダムに充電或いは電気エネルギーを放出する特性があって、第一発光ダイオードＬＥＤ１０１の発光作動を安定させ、かつ発光照度の脈動を下げることが可能である。
【００４６】
第二発光ダイオードＬＥＤ１０２を選択したとき、第二発光ダイオードＬＥＤ１０２を限流抵抗Ｒ１０４と直列に接続したその両端に、極性に従って充放電可能装置ＥＳＤ１０２を並列接続する。充放電可能装置ＥＳＤ１０２は、アットランダムに充電或いは電気エネルギーを放出する特性があって、第二発光ダイオードＬＥＤ１０２の発光作動を安定させ、及び発光照度の脈動を下げることが可能である。
このとき、充放電可能装置ＥＳＤ１０１、ＥＳＤ１０２は、各種のよく使われる充放電可能な電池、超コンデンサまたはコンデンサによって構成される。
【００４７】
図９は、本発明の第３実施形態によるＬＥＤ二方向性駆動回路の他の回路例を示す模式図である。すなわち、ＬＥＤ二方向性駆動回路Ｕ１００において、第一発光ダイオードＬＥＤ１０１及び逆方向並列ダイオードＣＲ１００を選択したとき、第２実施形態の図６の直列接続した発光ダイオード及び限流抵抗の両端に、充放電可能装置を並列接続する回路例である。第一発光ダイオードＬＥＤ１０１と限流抵抗Ｒ１０３を直列に接続したその両端に、極性に従って充放電可能装置ＥＳＤ１０１を並列接続する。充放電可能装置ＥＳＤ１０１は、アットランダムに充電或いは電気エネルギーを放出する特性があって、第一発光ダイオードＬＥＤ１０１の発光作動を安定させ、及び発光照度の脈動を下げることが可能である。
このとき、充放電可能装置ＥＳＤ１０１、ＥＳＤ１０２は、各種のよく使われる充放電可能な電池、超コンデンサまたはコンデンサによって構成される。
【００４８】
図１０は、本発明の第３実施形態によるＬＥＤ二方向性駆動回路のさらに他の回路例を示す模式図である。すなわち、ＬＥＤ二方向性駆動回路Ｕ１００において、限流抵抗Ｒ１０３、Ｒ１０４に替わって限流抵抗Ｒ１００を選択し、二方向性導電発光ダイオードセットＬ１００の共用限流抵抗とするとき、或いは限流抵抗Ｒ１０３、Ｒ１０４及びＲ１００を設置しないときの主な回路構造を示す。図１０は、第２実施形態の図７の回路中の発光ダイオード及び限流抵抗の両端を直列接続してから、充放電可能装置を並列接続する回路例を示す。その構成について以下に説明する。
【００４９】
充放電可能装置ＥＳＤ１０１を直接同極性の第一発光ダイオードＬＥＤ１０１の両端に並列接続し、充放電可能装置ＥＳＤ１０２を同極性第二発光ダイオードＬＥＤ１０２の両端に並列接続する。充放電可能装置ＥＳＤ１０１及び充放電可能装置ＥＳＤ１０２は、アットランダムに充電或いは電気エネルギーを放出する特性がある。
このとき、充放電可能装置ＥＳＤ１０１、ＥＳＤ１０２は、各種のよく使われる充放電可能な電池、超コンデンサまたはコンデンサによって構成される。
【００５０】
上記の本考案の第３実施形態において、もし使用する充放電可能装置ＥＳＤ１０１或いは充放電可能装置ＥＳＤ１０２が単極性である場合、第一発光ダイオードＬＥＤ１０１と単極性充放電可能装置ＥＳＤ１０１を並列に接続してから、必要に応じて順極性に直列接続するダイオードＣＲ１０１を選択設置してもよく、これにより、逆方向電圧による単極性充放電可能装置への破損を防ぎ、また、第二発光ダイオードＬＥＤ１０２と単極性充放電可能装置ＥＳＤ１０２を並列に接続してから、必要に応じて順極性に直列接続するダイオードＣＲ１０２を選択設置してもよく、これにより、逆方向電圧によって単極性充放電可能装置への破損を防ぐ。
【００５１】
二方向性導電発光ダイオードセットＬ１００の両端に、必要に応じて並列式二極性の充放電可能装置を選択設置してもよい。
ＬＥＤ二方向性駆動回路Ｕ１００の二方向性導電発光ダイオードセットＬ１００の両端に、充放電可能装置ＥＳＤ１０１或いは充放電可能装置ＥＳＤ１０２を加設し、アットランダムに充電或いは電気エネルギーを放出することによって、二方向性導電発光ダイオードＬ１００の中の第一発光ダイオードＬＥＤ１０１と第二発光ダイオードＬＥＤ１０２との発光安定度を安定させる以外に、断電時、充放電可能装置より貯蔵した電気エネルギーを出力することより、第一発光ダイオードＬＥＤ１０１、或いは第二発光ダイオードＬＥＤ１０２の少なくともその中の一つを駆動し、持続発光させる。
このとき、充放電可能装置ＥＳＤ１０１、ＥＳＤ１０２は、各種のよく使われる充放電可能な電池、超コンデンサまたはコンデンサによって構成される。
【００５２】
本発明の実施形態による二方向性導電発光ダイオードセットＬ１００のダイオード二方向性導電発光機能の構成方式は、以下のいずれかを満たす。
（１）少なくとも一個の第一発光ダイオードＬＥＤ１０１と少なくとも一個の第二発光ダイオードＬＥＤ１０２を逆極性に並列接続して構成する。
（２）少なくとも一個の第一発光ダイオードＬＥＤ１０１とダイオードＣＲ１０１が順極性に直列接続し、かつ少なくとも一個の第二発光ダイオードＬＥＤ１０２とダイオードＣＲ１０２を順極性に直列接続してから、更に二者を逆極性に並列接続して構成する。
【００５３】
（３）少なくとも一個の第一発光ダイオードＬＥＤ１０１とダイオードＣＲ１０１が逆極性に並列接続し、かつ少なくとも一個の第二発光ダイオードＬＥＤ１０２とダイオードＣＲ１０２を逆極性に並列接続し、更に二者を逆方向に直列接続することによって、二方向性導電発光ダイオードセットを構成する。図１１に本発明の二方向性導電発光ダイオードセットは、第一発光ダイオードダイオードがダイオードと逆方向に並列接続し、第二発光ダイオードがダイオードと逆極性に並列接続し、更に二者を逆方向に直列接続して構成する回路の説明図を示す。
【００５４】
（４）或いはよりよく使われる発光ダイオードを二方向性受電発光の回路と組み合わせ或いはコンポネントによって構成することが可能である。
本発明の実施形態において、図１〜図１１に示す本発明の第１〜第３実施形態の回路例において、その第一インピーダンスＺ１０１、第二インピーダンスＺ１０２、二方向性導電発光ダイオードセットＬ１００、第一発光ダイオードＬＥＤ１０１、第二発光ダイオードＬＥＤ１０２及び上記各項の選択補助回路コンポネントは、必要に応じて設置するかしないかの選択が可能である。設置数量は一個によって構成されるものを含む。一個以上を選択する場合、応用時の回路機能の必要に応じて、相対極性関係を選定し、直列、並列または直並列に接続する。その構成について以下に説明する。
【００５５】
第一インピーダンスＺ１０１は一個のコンデンサＣ１００によって構成され、或いは一個以上のコンデンサＣ１００によって構成され、かつ直列、並列または直並列に接続する。複数個を設置するとき、各第一インピーダンスは同じ類別のキャパシティブ、誘導性或いは抵抗性のインピーダンスコンポネントによって構成され、或いは異なる類別のインピーダンスコンポネントによって構成される。インピーダンス値は同じ或いは異なってもよい。
【００５６】
第二インピーダンスＺ１０２は一個或いは一個以上を直列、並列または直並列接続することによって構成される。複数個を設置する時、各第二インピーダンスは同じ類別のキャパシティブ、誘導性或いは抵抗性のインピーダンスコンポネントによって構成され、或いは異なる類別のインピーダンスコンポネントによって構成される。インピーダンス値は同じ或いは異なってもよい。
【００５７】
第一発光ダイオードＬＥＤ１０１は一個或いは一個以上より構成され、かつ順極性に直列接続、同極性に並列接続または直並列接続することが可能である。
第二発光ダイオードＬＥＤ１０２は一個或いは一個以上より構成され、かつ順極性に直列接続、同極性に並列接続または直並列接続することが可能である。
ＬＥＤ二方向性駆動回路Ｕ１００の中に、一セットの二方向性導電発光ダイオードセットＬ１００、或いは一セット以上の二方向性導電発光ダイオードセットＬ１００の選択が可能で、直列、並列または直並列接続する。もし一セット或いは一セット以上を選択した場合、二方向性導電発光ダイオードセットＬ１００は、共同して共用する第二インピーダンスＺ１０２の分圧電気エネルギーによって駆動され、或いは直列或いは並列接続する多セットの第二インピーダンスＺ１０２のそれぞれに対応する分圧エネルギーによって駆動される。
【００５８】
ＬＥＤ二方向性駆動回路Ｕ１００の中に充放電可能装置ＥＳＤ１０１或いはＥＳＤ１０２を設けた場合、二方向性導電発光ダイオードセットＬ１００の中の発光ダイオードＬＥＤ１０１或いはＬＥＤ１０２を駆動し、連続直流によって通電発光する。
ＬＥＤ二方向性駆動回路Ｕ１００の中にもし充放電可能装置ＥＳＤ１０１或いはＥＳＤ１０２を設置しない場合、発光ダイオードＬＥＤ１０１或いはＬＥＤ１０２は断続導電となり、発光ダイオードＬＥＤ１０１或いはＬＥＤ１０２は入力電圧波形及び導電と断電時間の割合（Ｄｕｔｙ  Ｃｙｃｌｅ）に従って、また通電発光時の順電流値（Ｆｏｒｗａｒｄ  Ｃｕｒｒｅｎｔ）を相対選定し、かつ二方向性導電性発光ダイオードセットＬ１００の各発光ダイオードの通電発光時の順電圧ピーク値（Ｐｅａｋ  ｏｆ  Ｆｏｒｗａｒｄ  Ｖｏｌｔａｇｅ）の構成を相対選択する。その選択は、以下のいずれかを満たす。
【００５９】
１）発光ダイオードＬＥＤ１０１或いはＬＥＤ１０２の定格順電圧（Ｒａｔｅ  Ｆｏｒｗａｒｄ  Ｖｏｌｔａｇｅ）より低い値を通電発光の順電圧ピーク値とする。
２）発光ダイオードＬＥＤ１０１或いはＬＥＤ１０２の定格順電圧を通電発光の順電圧ピーク値とする。
３）もし回路中発光ダイオードＬＥＤ１０１或いはＬＥＤ１０２が断続導電の駆動状態になった場合、導電及び断電時間の割合に従って、また定格順電圧より高い値を通電発光の順電圧ピーク値として相対選定する。ただし原則として、通電発光の順電圧ピーク値は発光ダイオードＬＥＤ１０１或いはＬＥＤ１０２にダメージを与えてはならない。
【００６０】
上記の通電発光の順電圧（Ｆｏｒｗａｒｄ  Ｖｏｌｔａｇｅ）の高低及び波形は、通電発光の順電圧の通電発光の順電流に対する割合（Ｆｏｒｗａｒｄ  Ｖｏｌｔａｇｅ  ｖｓ  Ｆｏｒｗａｒｄ  Ｃｕｒｒｅｎｔ）の電流大小及び電流波形を形成する。ただし原則として、通電発光の順電流ピーク値（Ｐｅａｋ  ｏｆ  Ｆｏｒｗａｒｄ  Ｃｕｒｒｅｎｔ）は発光ダイオードＬＥＤ１０１、ＬＥＤ１０２にダメージを与えてはならない。
【００６１】
上記の順電流（Ｆｏｒｗａｒｄ  Ｃｕｒｒｅｎｔ）の大小及び波形を通して、必要な電流が相対光度に対する割合（Ｆｏｒｗａｒｄ  Ｃｕｒｒｅｎｔ  ｖｓ  Ｒｅｌａｔｉｖｅ  ＬｕｍｉｎｏｓＩ  Ｔｙ）の照度を形成し或いは照度変化を有段或いは無段に調整制御する。
ダイオードＣＲ１００、ダイオードＣＲ１０１、ダイオードＣＲ１０２、ダイオードＣＲ２０１及びダイオードＣＲ２０２は、一個或いは一個以上によって構成され、かつ順極性に直列接続、同極性に並列接続または直並列接続し、上記の装置は必要に応じてオプションとすることも可能である。
【００６２】
放電抵抗Ｒ１０１、放電抵抗Ｒ１０２、限流抵抗Ｒ１００、限流抵抗Ｒ１０３、限流抵抗Ｒ１０４は、一個或いは一個以上によって構成され、かつ直列接続、並列接続または直並列接続し、上記の装置は必要に応じてオプションとすることも可能である。
誘導性インピーダンスコンポネントＩ１００、誘導性インピーダンスコンポネントＩ１０３及び誘導性インピーダンスコンポネントＩ１０４は、一個或いは一個以上によって構成され、かつ直列接続、並列接続または直並列接続し、上記の装置は必要に応じてオプションとすることも可能である。
【００６３】
ツェナーダイオードＺＤ１０１とツェナーダイオードＺＤ１０２とは、一個或いは一個以上によって構成され、かつ順極性に直列接続、同極性に並列接続または直並列接続し、上記の装置は必要に応じてオプションとすることが可能である。
充放電装置ＥＳＤ１０１と充放電装置ＥＳＤ１０２とは、一個或いは一個以上によって構成され、かつ順極性に直列接続、同極性に並列接続または直並列接続し、上記の装置は必要に応じてオプションとすることが可能である。
【００６４】
本発明の実施形態によるＬＥＤ二方向性駆動回路Ｕ１００を応用するとき、以下の各種形態の交流電気エネルギーの二方向性電気エネルギーの入力が可能で、二方向性電気エネルギーは以下のいずれかである。
（１）固定或いは可変電圧及び固定或いは可変周波数の交流電気エネルギー。
（２）直流電源から変換される固定或いは可変電圧及び固定或いは可変周波数或いは周期の二方向性正弦波電圧、二方向性方波電圧、或いは二方向性脈動波形の電圧の交流電気エネルギー。
【００６５】
（３）交流電気エネルギーを整流した直流電気エネルギーを再変換した固定或いは可変電圧及び固定或いは可変周波数或いは周期の二方向性正弦波電圧、方向性方波電圧、或いは二方向性脈動波形の電圧の交流電気エネルギー。
さらに、必要に応じて、各能動制御回路装置を選択接続する本発明の実施形態について、以下に説明する。
【００６６】
（第４実施形態）
図１２は、本発明の第４実施形態によるＬＥＤ二方向性駆動回路において、直列式二方向性電気エネルギーパワーコントローラーを直列に接続する回路例を示すブロック図である。
直列式二方向性電気エネルギーパワーコントローラー３００は、よく使われるメカトロニクスコンポネント或いは固体パワーコンポネント及び電子回路関連コンポネントによって構成され、二方向性電気エネルギーの出力パワーを制御する。
【００６７】
回路の作動機能は、以下のいずれかである。
（１）必要に応じて直列式二方向性電気エネルギーパワーコントローラー３００の選択設置が可能で、ＬＥＤ二方向性駆動回路Ｕ１００を直列接続し、二者を直列接続してから、電源からの二方向性電気エネルギーを入力し、直列式二方向性電気エネルギーパワーコントローラー３００を通して、電源からの二方向性電気エネルギーを調整制御し、またパルス幅変調（Ｐｕｌｓｅ  Ｗｉｄｔｈ  Ｍｏｄｕｌａｔｉｏｎ）を行い、或いは導電の位相角を制御し、或いはインピーダンスを調整制御する等の方式でパワーを調整制御することによって、ＬＥＤ二方向性駆動回路Ｕ１００を駆動する。
【００６８】
（２）必要に応じて直列式二方向性電気エネルギーパワーコントローラー３００の選択設置が可能で、第二インピーダンスＺ１０２と二方向性導電発光ダイオードセットＬ１００との間を直列接続し、直列式二方向性電気エネルギーパワーコントローラー３００を経て、第二インピーダンスＺ１０２の両端からの分圧の二方向性電気エネルギーを調整制御し、パルス幅変調を行い、導電の位相角を制御し、或いはインピーダンスを調整制御する等の方式でパワーを調整制御することによって、二方向性導電発光ダイオードセットＬ１００を駆動する。
【００６９】
（第５実施形態）
図１３は、本発明の第５実施形態によるＬＥＤ二方向性駆動回路において、並列式二方向性電気エネルギーパワーコントローラーと並列に接続する回路例を示すブロック図である。
並列式二方向性電気エネルギーパワーコントローラー４００は、よく使われるメカトロニクスコンポネント或いは固体パワーコンポネント及び電子回路関連コンポネントによって構成され、二方向性電気エネルギーの出力パワーを制御する。
【００７０】
回路の作動機能は、以下のいずれかである。
（１）必要に応じて並列式二方向性電気エネルギーパワーコントローラー４００の選択設置が可能で、その出力端にＬＥＤ二方向性駆動回路Ｕ１００を並列接続し、かつ並列式二方向性電気エネルギーパワーコントローラー４００の入力端へ電源からの二方向性電気エネルギーを入力し、並列式二方向性電気エネルギーパワーコントローラー４００を通して、電源からの二方向性電気エネルギーを調整制御し、パルス幅変調を行い、導電の位相角を制御し、或いはインピーダンスを調整制御する等の方式でパワーを調整制御することより、ＬＥＤ二方向性駆動回路Ｕ１００を駆動する。
【００７１】
（２）必要に応じて並列式二方向性電気エネルギーパワーコントローラー４００の選択設置が可能で、その出力端を二方向性導電発光ダイオードセットＬ１００の入力端と並列接続し、かつ並列式二方向性電気エネルギーパワーコントローラー４００の入力端を第二インピーダンスＺ１０２と並列接続し、並列式二方向性電気エネルギーパワーコントローラー４００を通して、第二インピーダンスＺ１０２の両端からの分圧の二方向性電気エネルギーを調整制御し、パルス幅変調を行い、導電の位相角を制御し、或いはインピーダンスを調整制御する等の方式でパワーを調整制御し、二方向性導電発光ダイオードセットＬ１００を駆動する。
【００７２】
（第６実施形態）
図１４は、本発明の第６実施形態によるＬＥＤ二方向性駆動回路において、直列式二方向性電気エネルギーパワーコントローラーに直列接続してから、ＤＣ‐ＡＣインバータの電気エネルギーの出力によって駆動される回路例を示すブロック図である。
【００７３】
ＤＣ‐ＡＣインバータ４０００は、よく使われるメカトロニクス或いは固体パワーコンポネント及び電子回路関連コンポネントより構成され、その入力端は必要に応じて選定する固定或いは可変電圧の直流の電気エネルギーを入力し、或いは交流電気エネルギーからを整流後の直流電気エネルギーを入力する。その出力端は必要に応じて選定する固定或いは可変電圧及び固定或いは可変交換極性周波数或いは周期の二方向性正弦波、二方向性方波、或いは二方向性脈動波の二方向性電気エネルギーを出力することによって、二方向性電気エネルギーの電源を給電する。
直列式二方向性電気エネルギーパワーコントローラー３００は、よく使われるメカトロニクスコンポネント或いは固体パワーコンポネント及び電子回路関連コンポネントによって構成され、二方向性電気エネルギーの出力パワーを制御する。
【００７４】
回路の作動機能は、以下のいずれかである。
（１）必要に応じて直列式二方向性電気エネルギーパワーコントローラー３００の選択設置が可能で、ＬＥＤ二方向性駆動回路Ｕ１００と直列接続してから、ＤＣ‐ＡＣインバータ４０００の出力端に並列接続し、直列式二方向性電気エネルギーパワーコントローラー３００を通して、ＤＣ‐ＡＣインバータ４０００から出力する二方向性電気エネルギーを調整制御することによって、パルス幅変調を行い、導電の位相角を制御し、或いはインピーダンスを調整制御する等の方式でパワーを調整制御することによって、ＬＥＤ二方向性駆動回路Ｕ１００を駆動する。
【００７５】
（２）必要に応じて直列式二方向性電気エネルギーパワーコントローラー３００の選択設置が可能で、第二インピーダンスＺ１０２と二方向性導電発光ダイオードセットＬ１００との間に直列接続し、第二インピーダンスＺ１０２の両端からの分圧の二方向性電気エネルギーを通して、パルス幅変調を行い、導電の位相角を制御し、或いはインピーダンスを調整制御する等の方式でパワーを調整制御することによって、二方向性導電発光ダイオードセットＬ１００を駆動する。
【００７６】
（第７実施形態）
図１５は、本発明の第７実施形態によるＬＥＤ二方向性駆動回路において、並列式二方向性電気エネルギーパワーコントローラーに並列接続してから、ＤＣ‐ＡＣインバータの電気エネルギーの出力によって駆動される回路例を示すブロック図を示す。
【００７７】
ＤＣ‐ＡＣインバータ４０００は、よく使われるメカトロニクス或いは固体パワーコンポネント及び電子回路関連コンポネントより構成され、その入力端は必要に応じて選定する固定或いは可変電圧の直流の電気エネルギーを入力し、或いは交流電気エネルギーからを整流後の直流電気エネルギーを入力する。その出力端は必要に応じて選定する固定或いは可変電圧及び固定或いは可変交換極性周波数或いは周期の二方向性正弦波、二方向性方波、或いは二方向性脈動波の二方向性電気エネルギーを出力することによって、二方向性電気エネルギーの電源を給電する。
並列式二方向性電気エネルギーパワーコントローラー４００は、よく使われるメカトロニクスコンポネント或いは固体パワーコンポネント及び電子回路関連コンポネントによって構成され、二方向性電気エネルギーの出力パワーを制御する。
【００７８】
回路の作動機能は、以下のいずれかである。
（１）必要に応じて並列式二方向性電気エネルギーパワーコントローラー４００の選択設置が可能で、その出力端をＬＥＤ二方向性駆動回路Ｕ１００の入力端に並列接続し、かつ並列式二方向性電気エネルギーパワーコントローラー４００の入力端にＤＣ‐ＡＣインバータ４０００より出力する二方向性電気エネルギーを入力してから、並列式二方向性電気エネルギーパワーイントローラー４００を通して、ＤＣ‐ＡＣインバータ４０００から出力する二方向性電気エネルギーを調整制御し、パルス幅変調、導電の位相角制御、或いはインピーダンスの調整制御等の方式でパワーを制御することによって、ＬＥＤ二方向性駆動回路Ｕ１００を駆動する。
【００７９】
（２）必要に応じて並列式二方向性電気エネルギーパワーコントローラー４００の選択設置が可能で、その出力端を二方向性導電発光ダイオードセットＬ１００の入力端に並列接続し、並列式二方向性電気エネルギーパワーコントローラー４００の入力端は、第二インピーダンスＺ１０２に並列接続し、並列式二方向性電気エネルギーパワーコントローラー４００を通して、第二インピーダンスＺ１０２の両端からの分圧の二方向性電気エネルギーを調整制御し、パルス幅変調を行い、導電の位相角を制御し、或いはインピーダンスを調整制御する等の方式でパワーを調整制御することによって、二方向性導電発光ダイオードセットＬ１００を駆動する。
【００８０】
（第８実施形態）
図１６は、本発明の第８実施形態によるＬＥＤ二方向性駆動回路において、ＤＣ‐ＡＣインバータより出力する電気エネルギーを受けてから駆動する回路例を示すブロック図である。
ＤＣ‐ＡＣインバータ４０００は、よく使われるメカトロニクス或いは固体パワーコンポネント及び電子回路関連コンポネントより構成され、その入力端は必要に応じて選定する固定或いは可変電圧の直流の電気エネルギーを入力し、或いは交流電気エネルギーからを整流後の直流電気エネルギーを入力する。その出力端は必要に応じて選定する固定或いは可変電圧及び固定或いは可変交換極性周波数或いは周期の二方向性正弦波、二方向性方波、或いは二方向性脈動波の二方向性電気エネルギーを出力することによって、二方向性電気エネルギーの電源を給電する。
【００８１】
以下、回路の作動機能について説明する。
ＬＥＤ二方向性駆動回路Ｕ１００をよく使われるＤＣ‐ＡＣインバータ４０００の出力端に並列接続し、ＤＣ‐ＡＣインバータ４０００の入力端は、必要に応じて選定する固定或いは可変電圧直流電気エネルギーを入力し、或いは交流電気エネルギーからを整流後の直流電気エネルギーを入力する。
【００８２】
ＤＣ‐ＡＣインバータ４０００の出力端は、必要に応じて選定した固定或いは可変電圧及び固定或いは可変交換極性周波数或いは周期の二方向性正弦波、二方向性方波、或いは二方向性脈動波の二方向性電気エネルギーを出力し、二方向性電気エネルギーの電源にすることによって、ＬＥＤ二方向性駆動回路Ｕ１００を制御と駆動する。
更にＤＣ‐ＡＣインバータ４０００の出力パワーの制御を通して、ＬＥＤ二方向性駆動回路Ｕ１００へ伝送する。または出力する電気エネルギーに対して、パルス幅変調、導電の位相角制御、或いはインピーダンスの調整制御等の方式でパワーを制御することによって、ＬＥＤ二方向性駆動回路Ｕ１００の電気エネルギーパワーへの伝送を制御する。
【００８３】
（第９実施形態）
図１７は、本発明の第９実施形態によるＬＥＤ二方向性駆動回路において、インピーダンスコンポネントと直列に接続する回路例を示すブロック図である。
ＬＥＤ二方向性駆動回路Ｕ１００を少なくとも一個のよく使われるインピーダンスコンポネント５００と直列に接続してから電源と並列に接続する。
【００８４】
インピーダンスコンポネント５００は、以下のいずれかを満たす。
（１）抵抗性インピーダンス特性を持つコンポネントよりを構成する。
（２）誘導性インピーダンス特性を持つデバスよりを構成する。
（３）キャパシティブインピーダンス特性を持つコンポネントよりを構成する。
（４）単一インピーダンスコンポネントが同時に抵抗性インピーダンス、誘導性インピーダンス或いはキャパシティブインピーダンスの中で少なくとも二種の合成インピーダンス特性を持つコンポネントより構成されることによって、直流性質のインピーダンス或いは交流性質のインピーダンスを提供する。
【００８５】
（５）単一インピーダンスコンポネントが誘導性インピーダンス及びキャパシティブインピーダンスの合成インピーダンス特性を持つコンポネントより構成され、固有共振周波数は、二方向性電気エネルギーからの周波数或いは周期と同じで、また並列共振状態になることが可能である。
（６）キャパシティブインピーダンスコンポネント、誘導性インピーダンスコンポネント或いは抵抗性インピーダンスコンポネントより構成され、その中の一種或いは一種以上を含み、かつ一個或いは一個以上のインピーダンスコンポネントより構成され、或いは二種或いは二種以上の直列に接続するインピーダンスコンポネントを採用し、或いは並列或いは直並列接続より構成され、直流性質のインピーダンス或いは交流性質のインピーダンスを提供する。
【００８６】
（７）キャパシティブインピーダンスコンポネントと誘導性インピーダンスコンポネントとが互いに直列に接続することより構成され、直列に接続した固有直列共振周波数と電源からの二方向性電気エネルギーの周波数或いは周期は同じで、かつ直列共振状態を形成し、また相対的にキャパシティブインピーダンスコンポネント或いは誘導性インピーダンスコンポネントの両端に、直列共振を示す相対端の電圧を形成することが可能である。或いは、キャパシティブインピーダンスと誘導性インピーダンスを互いに並列接続し、並列接続してから固有並列共振周波数と電源からの二方向性電気エネルギーの周波数或いは周期は同じで、かつ並列共振状態を形成し、及び相対の端電圧を形成することが可能である。
【００８７】
またさらに、少なくとも二個のインピーダンスコンポネント５００が、メカトロニクスコンポネント或いは固体コンポネントとの接続によって、スイッチユニット６００を構成し、かつ直列、並列または直並列接続の切り替えを行うことより、ＬＥＤ二方向性駆動回路Ｕ１００のパワーへの出力を調節制御する。図１８に、本発明の第８実施形態によるＬＥＤ二方向性駆動回路において、インピーダンスコンポネントをスイッチ装置に通して、直列、並列または直並列に接続する制御回路例のブロック説明図を示す。
【００８８】
（第１０実施形態）
本発明の第１０実施形態によるＬＥＤ二方向性駆動回路において、第二インピーダンスＺ１０２の誘導性インピーダンスコンポネントＩ２００の選択は、更に誘導効果を持つ変圧器の電源巻線セットによって取り替えられることが可能である。変圧器は単巻変圧巻線を持つ単巻変圧器ＳＴ２００、或いは分離式変圧巻線を持つ変圧器ＩＴ２００を選択することが可能である。
【００８９】
図１９は、本発明の第１０実施形態によるＬＥＤ二方向性駆動回路において、単巻変圧器の単巻変圧の電源巻線によって第二インピーダンスの誘導性インピーダンスコンポネントを取り替える昇圧回路例を示す模式図である。
図１９の単巻変圧器ＳＴ２００は、昇圧機能を持つ単巻変圧巻線Ｗ０を備え、単巻変圧器ＳＴ２００の単巻変圧巻線Ｗ０のｂ、ｃ端を電源側とし、第二インピーダンスＺ１０２の中の誘導性インピーダンスコンポネントＩ２００を取り換えて、第二インピーダンスＺ１０２を構成する。単巻変圧器ＳＴ２００のａ、ｃ出力端から昇圧交流電気エネルギーを出力することによって、二方向性導電発光ダイオードセットＬ１００を駆動する。
【００９０】
図２０は、本発明の第１０実施形態によるＬＥＤ二方向性駆動回路において、単巻変圧器の単巻変圧の電源巻線によって第二インピーダンスの誘導性インピーダンスコンポネントを取り替える降圧回路例を示す模式図である。
図２０の単巻変圧器ＳＴ２００は、降圧機能を持つ単巻変圧巻線Ｗ０を備え、単巻変圧器ＳＴ２００の単巻変圧巻線Ｗ０のａ、ｃ端を電源側とし、第二インピーダンスＺ１０２の中の誘導性インピーダンスコンポネントＩ２００を取り換えて、第二インピーダンスＺ１０２を構成する。単巻変圧器ＳＴ２００の単巻変圧巻線Ｗ０のｂ、ｃ出力端から降圧交流電気エネルギーを出力することによって、二方向性導電発光ダイオードセットＬ１００を駆動する。
【００９１】
図２１は、本発明の第１０実施形態によるＬＥＤ二方向性駆動回路において、分離式変圧巻線の分離式変圧器の一次巻線によって第二インピーダンスの誘導性インピーダンスコンポネントを取り替える回路例を示す模式図である。
図２１の分離式変圧器ＩＴ２００は、一次巻線Ｗ１及び二次巻線Ｗ２によって構成される。一次巻線Ｗ１と二次巻線Ｗ２とが分離状態を示し、一次巻線Ｗ１によって第二インピーダンスＺ１０２を構成し、分離式変圧器ＩＴ２００の二次巻線Ｗ２の出力電圧は、必要に応じて昇圧或いは降圧を選択し、二次巻線から出力する交流電気エネルギーを二方向性導電発光ダイオードセットＬ１００へ伝送する。
上述を通して、変圧器の電源巻線によって第二インピーダンスＺ１０２の中の誘導性インピーダンスコンポネントＩ２００を取換え、かつ分離式変圧器ＩＴ２００の二次側昇圧出力の交流電圧或いは降圧出力の交流の電気エネルギーより、二方向性導電発光ダイオードセットＬ１００を駆動する。
【００９２】
（第１１実施形態）
本発明の第１１実施形態によるＬＥＤ二方向性駆動回路は、第二インピーダンスＺ１０２として誘導性インピーダンスコンポネントＩ２００を選択するときは、誘導効果を持つ変圧器の電源巻線によって取り替え、またコンデンサＣ２００と並列接続して並列共振することによって、第二インピーダンスＺ０１２を構成し、変圧器は単巻変圧巻線を持つ単巻変圧器ＳＴ２００或いは分離式変圧巻線の変圧器ＩＴ２００を持つものを選択することが可能である。
【００９３】
図２２は、本発明の第１１実施形態によるＬＥＤ二方向性駆動回路において、単巻変圧器の単巻変圧の電源巻線とキャパシティブインピーダンスコンポネントとを並列接続し、並列共振を形成する昇圧回路例を示す模式図である。
図２２の単巻変圧器ＳＴ２００は、昇圧機能を持つ単巻変圧巻線Ｗ０を備え、単巻変圧器ＳＴ２００の単巻変圧巻線Ｗ０のｂ・ｃ端を電源側とし、第二インピーダンスＺ１０２の中の誘導性インピーダンスコンポネントＩ２００を取り替えて、コンデンサＣ２００と並列に接続し、並列接続後の固有並列共振周波数は、電源からの二方向性電気エネルギー、例えば交流電気エネルギーの周波数、或いは直流電気エネルギーによって変換される固定或いは可変電圧及び固定或いは可変交換極性周期の電気エネルギーの交換極性周期と同じで、かつ並列共振状態を形成することによって、第二インピーダンスＺ１０２を構成し、第一インピーダンスＺ１０１を構成するコンデンサＣ１００と直列に接続する。コンデンサＣ２００は単巻変圧器ＳＴ２００のタップ（Ｔａｐ）のａ、ｃ間或いはｂ、ｃ間或いは必要に応じてほかのタップ間での並列接続の選択が可能で、単巻変圧器ＳＴ２００の単巻変圧巻線Ｗ０のａ、ｃ出力端より昇圧交流の電気エネルギーを出力することより、二方向性導電発光ダイオードセットＬ１００を駆動する。
【００９４】
図２３は、本発明の第１１実施形態によるＬＥＤ二方向性駆動回路において、単巻変圧器の単巻変圧の電源巻線とキャパシティブインピーダンスコンポネントとを並列接続し、並列共振を形成する降圧回路例を示す模式図である。
図２３の単巻変圧器ＳＴ２００は、降圧機能を持つ単巻変圧巻線Ｗ０を備え、単巻変圧器ＳＴ２００の単巻変圧巻線Ｗ０のａ・ｃ端を電源側とし、第二インピーダンスＺ１０２の中の誘導性インピーダンスコンポネントＩ２００を取り替えて、コンデンサＣ２００と並列に接続し、並列接続後の固有並列共振周波数は、電源からの二方向性電気エネルギー、例えば交流電気エネルギーの周波数、或いは直流電気エネルギーによって変換される固定或いは可変電圧及び固定或いは可変交換極性周期の電気エネルギーの交換極性周期と同じで、かつ並列共振状態を形成することによって、第二インピーダンスＺ１０２を構成し、第一インピーダンスＺ１０１を構成するコンデンサＣ１００と直列に接続する。コンデンサＣ２００は単巻変圧器ＳＴ２００のタップのａ、ｃ間或いはｂ、ｃ間或いは必要に応じてほかのタップ間での並列接続の選択が可能で、単巻変圧器ＳＴ２００の単巻変圧巻線Ｗ０のｂ、ｃ出力端より降圧交流の電気エネルギーを出力することより、二方向性導電発光ダイオードセットＬ１００を駆動する。
【００９５】
図２４は、本発明の第１１実施形態によるＬＥＤ二方向性駆動回路において、分離式変圧巻線の分離式変圧器を持つ一次巻線とキャパシティブインピーダンスコンポネントとを並列接続し、並列共振を形成する回路例を示す模式図である。
図２４の中にある分離式変圧器ＩＴ２００は一次巻線Ｗ１及び二次巻線Ｗ２によって構成される。一次巻線Ｗ１と二次巻線Ｗ２との二者が分離され、その一次巻線Ｗ１はコンデンサＣ２００と並列に接続し、並列接続後の固有並列共振周波数は、電源からの二方向性電気エネルギー、例えば交流電気エネルギーの周波数、或いは直流電気エネルギーによって変換される固定或いは可変電圧及び固定或いは可変交換極性周期の電気エネルギーの交換極性周期と同じで、かつ並列共振状態を形成することによって、第二インピーダンスＺ１０２を構成してから、第一インピーダンスＺ１０１を構成するコンデンサＣ１００と直列に接続し、コンデンサＣ２００は単巻変圧器ＳＴ２００のタップのａ、ｃ間或いはｂ、ｃ間或いは必要に応じてほかのタップ間での並列接続の選択が可能である。分離式変圧器ＩＴ２００の二次巻線Ｗ２の出力電圧は、必要に応じて昇圧或いは降圧に選択することが可能で、二次巻線の出力の交流の電気エネルギーは、二方向性導電発光ダイオードセットＬ１００へ出力する。
【００９６】
上記を通して、変圧器の電源巻線によって第二インピーダンスＺ１０２の中の誘導性インピーダンスコンポネントＩ２００を取換え、コンデンサＣ２００と並列に接続し、並列共振を形成することによって、第二インピーダンスＺ１０２を構成する。分離式変圧器ＩＴ２００の二次側昇圧出力の交流電圧或いは降圧出力の交流の電気エネルギーより、二方向性導電発光ダイオードセットＬ１００を駆動する。
【００９７】
本発明の実施形態によるＬＥＤ二方向性駆動回路において、ＬＥＤ二方向性駆動回路Ｕ１００の二方向性導電発光ダイオードセットＬ１００を構成する個別発光ダイオードＬＥＤ１０１及びＬＥＤ１０２の色は、必要に応じて一種或いは一種以上の色によって構成する選択は可能である。
本発明の実施形態によるＬＥＤ二方向性駆動回路のＬＥＤ二方向性駆動回路Ｕ１００の中で、二方向性導電発光ダイオードセットＬ１００を構成する個別発光ダイオードＬＥＤ１０１の間での配列の位置関係は、（１）順序に従う線状配列、（２）順序に従う面状配列、（３）交錯する線状配列、（４）交錯する面状配列、（５）特定平面に従う幾何学的な位置配列、（６）特定立体に従う幾何的な位置配列を示すことが可能である。
【００９８】
本発明の実施形態によるＬＥＤ二方向性駆動回路において、ＬＥＤ二方向性駆動回路Ｕ１００の中にある回路コンポネントセットの構成形態は、（１）個別回路コンポネントより単独構成してから互いに接続する、或いは、（２）少なくとも二個の回路コンポネントセットによって組立てから、少なくとも二個の一部の機能のユニットを互いに接続する、或いは、（３）全体が一体に統合される、のいずれかである。
上記をまとめると、本発明のＬＥＤ二方向性駆動回路では、キャパシティブ単極性充放電によって発光ダイオードを駆動することによって、革新的に電気節約・低熱損失・コスト削減機能を実現する。
【符号の説明】
【００９９】
Ｃ１００、Ｃ１０２、Ｃ２００：コンデンサ、ＣＲ１００、ＣＲ１０１、ＣＲ１０２、ＣＲ２０１、ＣＲ２０２：ダイオード、ＥＳＤ１０１、ＥＳＤ１０２：充放電可能装置、Ｉ１００、Ｉ１０３、Ｉ１０４、Ｉ２００：誘導性インピーダンスコンポネント、ＩＴ２００：分離式変圧器、Ｌ１００：二方向性導電発光ダイオードセット、ＬＥＤ１０１：第一発光ダイオード、ＬＥＤ１０２：第二発光ダイオード、Ｒ１０１、Ｒ１０２：放電抵抗、Ｒ１００、Ｒ１０３、Ｒ１０４：限流抵抗、ＳＴ２００：単巻変圧器、Ｕ１００：ＬＥＤ二方向性駆動回路、Ｗ０：単巻変圧巻線、Ｗ１：一次巻線、Ｗ２：二次巻線、Ｚ１０１：第一インピーダンス、Ｚ１０２：第二インピーダンス、ＺＤ１０１、ＺＤ１０２：ツェナーダイオード、３００：直列式二方向性電気エネルギーパワーコントローラー、４００：並列式二方向性電気エネルギーパワーコントローラー、５００：インピーダンスコンポネント、６００：スイッチユニット、４０００：ＤＣ−ＡＣインバータ
【図１】
2009170919.tif 000003
【図２】
2009170919.tif 000004
【図３】
2009170919.tif 000005
【図４】
2009170919.tif 000006
【図５】
2009170919.tif 000007
【図６】
2009170919.tif 000008
【図７】
2009170919.tif 000009
【図８】
2009170919.tif 000010
【図９】
2009170919.tif 000011
【図１０】
2009170919.tif 000012
【図１１】
2009170919.tif 000013
【図１２】
2009170919.tif 000014
【図１３】
2009170919.tif 000015
【図１４】
2009170919.tif 000016
【図１５】
2009170919.tif 000017
【図１６】
2009170919.tif 000018
【図１７】
2009170919.tif 000019
【図１８】
2009170919.tif 000020
【図１９】
2009170919.tif 000021
【図２０】
2009170919.tif 000022
【図２１】
2009170919.tif 000023
【図２２】
2009170919.tif 000024
【図２３】
2009170919.tif 000025
【図２４】
2009170919.tif 000026
【外国語明細書】
2009170919.tif 000027
2009170919.tif 000028
2009170919.tif 000029
2009170919.tif 000030
2009170919.tif 000031
2009170919.tif 000032
2009170919.tif 000033
2009170919.tif 000034
2009170919.tif 000035
2009170919.tif 000036
2009170919.tif 000037
2009170919.tif 000038
2009170919.tif 000039
2009170919.tif 000040
2009170919.tif 000041
2009170919.tif 000042
2009170919.tif 000043
2009170919.tif 000044
2009170919.tif 000045
2009170919.tif 000046
2009170919.tif 000047
2009170919.tif 000048
2009170919.tif 000049
2009170919.tif 000050
2009170919.tif 000051
2009170919.tif 000052
2009170919.tif 000053
2009170919.tif 000054
2009170919.tif 000055
2009170919.tif 000056
2009170919.tif 000057
2009170919.tif 000058
2009170919.tif 000059
2009170919.tif 000060
2009170919.tif 000061
2009170919.tif 000062
2009170919.tif 000063
2009170919.tif 000064
2009170919.tif 000065
2009170919.tif 000066
2009170919.tif 000067
2009170919.tif 000068
2009170919.tif 000069
2009170919.tif 000070
2009170919.tif 000071
2009170919.tif 000072
2009170919.tif 000073
2009170919.tif 000074
2009170919.tif 000075
2009170919.tif 000076
2009170919.tif 000077
2009170919.tif 000078
2009170919.tif 000079
2009170919.tif 000080
2009170919.tif 000081
2009170919.tif 000082
2009170919.tif 000083
2009170919.tif 000084
2009170919.tif 000085
2009170919.tif 000086
2009170919.tif 000087
2009170919.tif 000088
2009170919.tif 000089
2009170919.tif 000090
2009170919.tif 000091
2009170919.tif 000092
2009170919.tif 000093
2009170919.tif 000094
2009170919.tif 000095
2009170919.tif 000096
2009170919.tif 000097
2009170919.tif 000098
2009170919.tif 000099
2009170919.tif 000100
2009170919.tif 000101
2009170919.tif 000102
2009170919.tif 000103
2009170919.tif 000104